(57)【特許請求の範囲】
【請求項１】
紐締めシステムに使用するためのリールであって：
複数のハウジング歯を有するハウジングと；
前記ハウジングに支持されたスプールであって、前記スプールは前記ハウジングに対して回転可能であり、前記スプールはその中に形成された溝を含み、前記溝は、前記スプールが締め付け方向に回転するとき前記紐締めシステムを締め付けるためにその中に紐を集めるように構成されるとともに前記スプールが緩み方向に回転するとき前記紐締めシステムを緩めるためにそこから前記紐を解放するように構成される、スプールと；
前記ハウジングに支持されたノブであって、前記ノブは前記ハウジングに対して回転可能であり、前記ノブは、前記ノブの回転が前記スプールも回転させるように前記スプールに結合される、ノブと；を有し、
前記ノブは１つまたは複数のつめを有するとともに、前記１つまたは複数のつめの少なくとも１つはつめ梁部および前記つめ梁部と一体に形成されたつめバネ部を有し、
前記つめ梁部及び前記つめバネ部は、概して同じ方向につめ基部から延びるとともに前記つめバネ部は前記つめ梁部から離れて曲げられ、
前記つめ梁部は第１の位置と第２の位置との間で移動可能であるとともに、前記つめバネ部は前記つめ梁部を前記第１の位置に向かって付勢するように構成され、
前記つめ梁部は、緩める力の実質的な部分を前記つめバネ部に伝達することになしに、前記緩める力が前記ノブに加えられたときに前記ノブが緩み方向に回転することを防ぐように、前記つめ梁部が前記第１の位置にあるときに、前記ハウジング歯に噛み合うように構成された１つまたは複数のつめ歯部を有し、
前記１つまたは複数のつめ歯部は、前記ノブおよび前記スプールが締付け方向に回転することを可能にするように前記ノブが締付け方向に捻られるときに、前記第２の位置に前記ハウジング歯から離れて変位され得る、
リール。
【請求項２】
前記つめバネ部は、前記つめ梁部が前記第２の位置に向かって変位されるとき、より曲げられた形態をとるように構成され、したがって前記つめ梁部を前記第１の位置に向かって付勢する、可撓性アーム部を有する、
請求項１に記載のリール。
【請求項３】
前記可撓性アーム部は、前記リールの一部を押圧するように構成された端部を有し、前記可撓性アーム部の前記端部は、前記可撓性アーム部がより曲げられた形態をとるときに前記リールの前記一部に沿って滑る、
請求項２に記載のリール。
【請求項４】
前記可撓性アーム部は、より曲げられた形態をとるとき、湾曲されなくなる、
請求項３に記載のリール。
【請求項５】
前記つめ梁部は、前記第１の位置と前記第２の位置との間をピボット軸周りに回転するように構成され、
前記可撓性アーム部は、前記ピボット軸の近くの場所から前記つめ梁部と概して同じ方向に延び、
前記可撓性アーム部は、前記つめ梁部より遠くに延び、
前記可撓性アーム部は、前記つめ梁部から離れて湾曲される、
請求項２に記載のリール。
【請求項６】
前記ノブは、前記１つまたは複数のつめを受けるように構成された１つまたは複数のつめ凹部を含み、
前記少なくとも１つのつめの前記つめバネ部は、前記つめを前記第１の位置に向かって付勢するように、対応する前記つめ凹部の壁に当接するように構成される、
請求項１に記載のリール。
【請求項７】
前記ハウジング歯は半径方向に延び、
前記つめ梁部は前記第１の位置と前記第２の位置との間で半径方向に移動可能であり、
前記ノブは連動位置と非連動位置との間で軸方向に移動可能であり、
前記ノブが前記非連動位置にあるとき、前記スプールは前記緩み方向に回転することが可能にされる、
請求項１に記載のリール。
【請求項８】
前記ノブが前記非連動位置にあるとき、前記１つまたは複数のつめは、前記ノブおよび前記スプールが前記緩み方向に自由に回転するように、前記ハウジング歯から噛み合いを外される、
請求項７に記載のリール。
【請求項９】
前記スプールはスプール歯を有し、
前記ノブは、前記ノブおよび前記スプールが一緒に回転するような前記連動位置に前記ノブがあるとき、前記スプール歯に噛み合うように構成されたノブ歯を有し、
前記ノブが前記非連動位置にあるとき、前記ノブ歯は、前記スプール歯が緩み方向に自由に回転するように、前記スプール歯から噛み合いを外される、
請求項７に記載のリール。
【請求項１０】
前記ノブが前記非連動位置にあるとき、前記１つまたは複数のつめは、前記ノブが前記緩み方向に自由に回転するように、前記ハウジング歯から噛み合いを外されるとともに、前記１つまたは複数のつめは、前記１つまたは複数のつめの一部が前記ハウジング歯を超えて半径方向に延びるように、半径方向に変位される、
請求項７に記載のリール。
【請求項１１】
前記ハウジング歯は、前記ノブが前記連動位置に移動されたとき、前記１つまたは複数のつめの前記ハウジング歯との再噛み合いを促すための、傾斜上部を有する、
請求項１０に記載のリール。
【請求項１２】
前記１つまたは複数のつめは、前記緩める力が前記ノブに加えられたとき、前記ノブに実質的な力を前記軸方向に加えることなしに、前記ノブが前記緩み方向に回転することが妨げられるように、前記ハウジング歯と噛み合うように構成される、
請求項７に記載のリール。
【請求項１３】
前記少なくとも１つのつめは、前記ノブが緩み方向に回転することを防ぐために、前記緩める力が複数の歯にわたって分散されるように、少なくとも２つの対応する前記ハウジング歯において同時に噛み合うように構成される、
請求項１に記載のリール。
【請求項１４】
前記１つまたは複数のつめ歯部の少なくとも１つは第１の側部を有し、前記第１の側部は、前記ノブが前記締め付け方向に回転されたとき、前記ハウジング歯の第１の側部が、前記ハウジング歯が前記つめ歯部の前記第１の側部を越えて前記つめ歯部が前記第１の位置に戻ることを可能にするまで、前記つめ歯部が前記ハウジング歯から離れて前記第２の位置に向かって変位されるように、前記つめ歯部の第１の側部に沿って滑るように、曲げられ、
前記つめ歯部は第２の側部を有し、前記第２の側部は、緩める力が前記ノブに加えられたとき、前記つめ歯部の前記第２の側部が、前記ノブが前記緩み方向に回転することを防ぐように、前記ハウジング歯の第２の側部に当接するように、曲げられる、
請求項１に記載のリール。
【請求項１５】
前記つめ梁部は、緩める力が前記ノブに加えられるとき、前記ハウジング歯に向かって付勢されるように構成される、
請求項１に記載のリール。
【請求項１６】
前記つめ梁部は、ピボット軸周りに半径方向に回転するように構成され、
１つまたは複数の前記つめ歯部は、前記ピボット軸から延びる接線から半径方向外側である位置において前記ハウジング歯に噛み合う、
請求項１５に記載のリール。
【請求項１７】
前記つめ歯部の少なくとも１つは、緩める力が加えられたときに前記つめ梁部が前記ハウジング歯に向かって付勢されるように、緩める力が前記ノブに加えられたとき、ハウジング歯の表面を押圧するように構成された表面を有し、
前記つめ梁部は、前記ノブが、前記少なくとも１つのつめ歯部の前記表面を前記ハウジング歯の前記表面から噛み合いを外すために、前記締め付け方向に回転されない限り、前記第２の位置に移動することが妨げられる、
請求項１５に記載のリール。
【請求項１８】
前記つめ梁部の側部は、緩める力が前記ノブに加えられるとともに前記つめ梁部が前記ハウジング歯に向かって付勢されるとき、前記１つまたは複数のつめ歯部によって噛み合わされない前記ハウジング歯の１つまたは複数の先端に当接するように構成される、
請求項１５に記載のリール。
【請求項１９】
紐締めシステム用のリールを作る方法であって：
複数のハウジング歯を有するハウジングを提供するステップと；
スプールが前記ハウジングに対して回転可能になるように、前記スプールをハウジング内に設置するステップであって、前記スプールはその中に形成された溝を有し、前記溝は、前記スプールが締付け方向に回転するとき前記紐締めシステムを締付けるためにその中に紐を集めるように構成されるとともに、前記スプールが緩み方向に回転するとき前記紐締めシステムを緩めるためにそこから前記紐を解放するように構成される、ステップと；
ノブが前記ハウジングに対して回転可能になるとともに、前記ノブは、前記ノブの回転が前記スプールも回転させるように、前記スプールに結合されるように、前記ノブを前記ハウジングに取り付けるステップと；を含み、
前記ノブは１つまたは複数のつめを有するとともに、前記１つまたは複数のつめの少なくとも１つはつめ梁部およびつめバネ部を有し、
前記つめ梁部および前記つめバネ部は一体に形成され、
前記つめ梁部及び前記つめバネ部は、概して同じ方向につめ基部から延びるとともに前記つめバネ部は前記つめ梁部から離れて曲げられ、
前記つめ梁部は第１の位置と第２の位置との間で移動可能であるとともに、前記つめバネ部は前記つめ梁部を前記第１の位置に向かって付勢するように構成され、
前記つめ梁部は、緩める力の実質的な部分を前記つめバネ部に伝達することになしに、緩める力が前記ノブを前記緩み方向に捻るように加えられたとき、前記緩み方向に前記ノブが回転することを防ぐために、前記つめ梁部が前記第１の位置にあるときに、前記ハウジング歯に噛み合うように構成された１つまたは複数のつめ歯部を有し、
前記１つまたは複数のつめ歯部は、前記ノブおよび前記スプールが前記締付け方向に回転することを可能にするように前記ノブが前記締付け方向に捻られるときに前記第２の位置に前記ハウジング歯から離れて変位される、
方法。
【請求項２０】
紐締めシステムにおいてリールと共に用いられるつめであって：
前記リールのハウジングのハウジング歯と噛み合うように構成された１つまたは複数のつめ歯部を有し、第１の位置と第２の位置との間で移動可能である、つめ梁部と；
前記つめ梁部と一体に形成され、前記つめ梁部を前記第１の位置に向かって付勢するように構成された、つめバネ部と；を有し、
前記つめ梁部及び前記つめバネ部は、概して同じ方向につめ基部から延びるとともに前記つめバネ部は前記つめ梁部から離れて曲げられ、
前記１つまたは複数のつめ歯部は、緩める力の実質的な部分を前記つめバネ部に伝達することになしに、前記緩める力が前記つめに加えられたとき、前記つめが緩み方向に移動することを防ぐように、前記つめ梁部が前記第１の位置にあるとき、前記ハウジング歯に噛み合い、
前記１つまたは複数のつめ歯部は、前記つめが締付け方向に移動することを可能にするように前記つめ梁部が前記第２の位置にあるときに、前記ハウジング歯から噛み合いを外すように構成される、
つめ。
【請求項２１】
紐締めシステム用のリールであって：
複数のハウジング歯を有するハウジングと；
前記ハウジングに支持されたスプールであって、前記スプールは前記ハウジングに対して回転可能であり、前記スプールはその中に形成された溝を有し、前記溝は、前記スプールが締付け方向に回転するとき前記紐締めシステムを締付けるようにその中に紐を集めるとともに前記スプールが緩み方向に回転するとき前記紐締めシステムを緩めるようにそこから前記紐を解放するように構成される、スプールと；
前記ハウジングに支持されたノブであって、前記ノブは前記ハウジングに対して回転可能であり、前記ノブは、前記ノブの回転が前記スプールも回転させるように、前記スプールに結合される、ノブと；を有し、
前記ノブは、前記ハウジング歯に噛み合うように構成された１つまたは複数のつめを有し、
前記１つまたは複数のつめの少なくとも１つは、第１の端部において前記ノブに取り付けられるとともに第２の端部に形成された１つまたは複数のつめ歯部を有する可撓性つめアーム部を有し、
前記可撓性つめアーム部は、前記ノブが前記締付け方向に回転することを可能にするために前記１つまたは複数のつめ歯部が前記ハウジング歯から離れて変位されるように、前記ノブが締付け方向に回転したときに第１の方向に屈曲するように構成され、
前記可撓性つめアーム部は、緩める力が前記ノブを前記緩み方向に捻るように加えられたとき、前記緩み方向に前記ノブが回転することを防ぐように、前記１つまたは複数のつめ歯部が対応する前記ハウジング歯に噛み合うように構成され、前記緩める力は、前記可撓性つめアーム部を前記緩める力の下で座屈させることを防ぐように前記可撓性つめアーム部が前記ハウジング歯に当接するように、前記可撓性つめアーム部を前記ハウジング歯に向かって第２の方向に屈曲させる、
リール。
【請求項２２】
少なくとも１つの前記可撓性つめアーム部は、前記ノブと一体に形成される、
請求項２１に記載のリール。
【請求項２３】
前記ハウジング歯は半径方向内側に延びるとともに、前記可撓性つめアーム部は、前記可撓性つめアーム部が前記ハウジング歯に当接するように、前記ノブが緩み方向に捻られると半径方向外側に曲がるように構成され、
前記ノブは連動位置と非連動位置との間で移動可能であり、
前記ノブが非連動位置にあるとき、前記スプールは前記緩み方向に回転することが可能にされる、
請求項２１に記載のリール。
【請求項２４】
前記１つまたは複数のつめは、前記ノブが前記緩める方向に捻られるとき、前記ノブは、前記ノブに実質的な力を軸方向に加えることなしに、前記緩み方向に回転することが妨げられるように、前記ハウジング歯と噛み合うように構成される、
請求項２３に記載のリール。
【請求項２５】
前記つめ基部は、前記ノブのボアの中に入れられるピボットタブを有する、
請求項１に記載のリール。
【請求項２６】
前記ノブは、２以上の前記つめを有し、前記２以上のつめは、互いに別々に形成される、
請求項１に記載のリール。
【発明の詳細な説明】
【技術分野】
【０００１】
（関連する出願の参照）
本出願は、２０１０年４月３０日に出願された、  “ＲＥＥＬ  ＢＡＳＥＤ  ＬＡＣＩＮＧ  ＳＹＳＴＥＭ”と題する米国仮特許出願第６１／３３０，１２９号の利益を主張し、その全体は参照により本出願に援用される。
【０００２】
本出願に開示された実施形態は、紐締めまたは閉塞システムおよび履物、閉じることができるバッグ、保護具等を含む任意の多様な物品に単体または組み合わせて用いられるそれらに関連した構成部品に関する。
【背景技術】
【０００３】
履物等の物品を締め付けるための多数の機構および方法が存在する。
【発明の概要】
【発明が解決しようとする課題】
【０００４】
それにもかかわらず、改良された装置および方法に対する要求は存在する。
【課題を解決するための手段】
【０００５】
いくつかの実施形態では、紐締めシステムに使用するためのリールが開示される。リールは複数のハウジング歯を有するハウジングを含み得る。リールはハウジングに支持されたスプールを有し得るとともに、スプールはハウジングに対して回転可能であり得る。スプールはその中に形成された溝を含み得るとともに、溝は、スプールが締め付け方向に回転するとき紐締めシステムを締め付けるためにその中に紐を集めるように構成され得る。溝は、スプールが緩み方向に回転するとき紐締めシステムを緩めるためにそこから紐を解放し得る。リールはハウジングに支持されたノブを含み得るとともに、ノブはハウジングに対して回転可能であり得る。ノブは、ノブの回転がスプールも回転させるように、スプールに結合され得る。ノブは１つまたは複数のつめを含み得るとともに、１つまたは複数のつめの少なくとも１つはつめ梁部およびつめバネ部を含み得る。つめ梁部は第１の位置と第２の位置との間で移動可能であり得るとともに、つめバネ部はつめ梁部を第１の位置に向かって付勢するように構成され得る。つめ梁部は、緩める力の実質的な部分をつめバネ部に伝達することになしに緩める力がノブを緩み方向に捻るように加えられたときに緩み方向にノブが回転することを防ぐようにつめ梁部が第１の位置にあるときに、ハウジング歯に噛み合うように構成された１つまたは複数のつめ歯部を含み得る。いくつかの実施形態では、つめ梁部およびつめバネ部は一体に形成され得る（例えば、一体成形され得る）。いくつかの実施形態では、１つまたは複数のつめ歯部は、ノブおよびスプールが締付け方向に回転することを可能にするようにノブが締付け方向に捻られるときに第２の位置にハウジング歯から離れて変位され得る。
【０００６】
いくつかの実施形態では、ハウジング歯は半径方向に延びることができ、つめ梁部は第１の位置と第２の位置との間で半径方向に移動可能であり得るとともに、ノブは連動位置と非連動位置との間で軸方向に移動可能であり得る。ノブが非連動位置にある場合、スプールは緩み方向に回転することが可能にされ得る。１つまたは複数のつめは、緩める力がノブに加えられたとき、ノブがノブに軸方向に実質的な力を加えることなしに緩み方向に回転することが防止されるように、ハウジング歯に噛み合うように構成され得る。
【０００７】
いくつかの実施形態では、つめが開示され、緩める力が緩み方向への回転を防ぐために複数の歯に分散されるように、つめは、少なくとも２つの対応するハウジング歯に同時に噛み合うように構成された少なくとも２つのつめ歯部を含み得る。いくつかの実施形態では、つめ梁部は、緩める力がノブに加えられたときにハウジングに向かって付勢されるように構成され得る。緩める力は、ユーザがノブを緩み方向に捻ることによってまたはスプールに結合された紐の引張りによってノブに加えられ得る。つめ梁部はピボット軸周りに半径方向に回転可能に構成され得るとともに、１つまたは複数のつめ歯部はピボット軸から延びる接線から半径方向外側の位置でハウジング歯に噛み合い得る。つめ歯部は、緩める力が加えられたときにつめ梁部がハウジング歯に向かって付勢されるように、緩める力がノブに加えられたときにハウジング歯の表面を押圧するように構成された表面を有し得る。つめ梁部は、少なくとも１つのつめ歯部の表面をハウジング歯の表面から解放するようにノブが緩み方向に回転されない限り、第２の位置に動くことが妨げられ得る。つめ梁部の側部は、緩める力がノブに加えられるとともに追加的な支持を提供するようにつめ梁部がハウジング歯に向かって付勢されるとき、１つまたは複数のつめ歯部によって噛み合わされない１つまたは複数のハウジング歯の先端に当接するように構成され得る。
【０００８】
いくつかの実施形態では、紐締めシステム用のリールを作る方法が開示される。方法は、ハウジングを提供することを含むことができ、ハウジングは複数のハウジング歯を含み得る。方法は、スプールはハウジングに対して回転可能になるように、スプールをハウジング内に設置することを含む。スプールはその中に形成された溝を含み得るとともに、溝は、スプールが締め付け方向に回転するとき紐締めシステムを締め付けるためにその中に紐を集めるように構成され得る。溝は、スプールが緩み方向に回転するとき紐締めシステムを緩めるためにそこから紐を解放するように構成され得る。方法は、ノブがハウジングに対して回転可能になるように、ノブをハウジングに取り付けることを含み得る。ノブは、ノブの回転がスプールも回転させるように、スプールに結合され得る。ノブは１つまたは複数のつめを含み得るとともに、１つまたは複数のつめの少なくとも１つはつめ梁部およびつめバネ部を含み得る。つめ梁部は第１の位置と第２の位置との間で移動可能であり得るとともに、つめバネ部はつめ梁部を第１の位置に向かって付勢するように構成され得る。つめ梁部は、緩める力の実質的な部分をつめバネ部に伝達することになしに、緩める力がノブを緩み方向に捻るように加えられたときに緩み方向にノブが回転することを防ぐためにつめ梁部が第１の位置にあるときに、ハウジング歯に噛み合うように構成された１つまたは複数のつめ歯部を含み得る。１つまたは複数のつめ歯部は、ノブおよびスプールが締付け方向に回転することを可能にするようにノブが締付け方向に捻られるときに第２の位置にハウジング歯から離れて変位され得る。
【０００９】
いくつかの実施形態では、紐締めシステムにおいてリールと共に用いられるつめが開示される。つめは、リールのハウジングのハウジング歯と噛み合うように構成された１つまたは複数のつめ歯部を有するつめ梁部を含み得る。つめ梁部は第１の位置と第２の位置との間で移動可能であり得る。つめは、つめ梁部を第１の位置に向かって付勢するように構成されたつめバネ部を含み得る。１つまたは複数のつめ歯部は、緩める力の実質的な部分をつめバネ部に伝達することになしに、緩める力がつめに加えられたときに緩み方向につめが移動することを防ぐためにつめ梁部が第１の位置にあるとき、ハウジング歯に噛み合い得る。１つまたは複数のつめ歯部は、つめが締付け方向に移動することを可能にするようにつめ梁部が第２の位置にあるときに、ハウジング歯から噛み合いを外し得る。いくつかの実施形態では、つめ梁部およびつめバネ部は一体に形成され得る。
【００１０】
いくつかの実施形態では、紐締めシステム用のリールが開示される。リールは複数のハウジング歯を有するハウジング、およびスプールがハウジングに対して回転可能になるようにハウジングに支持されたスプールを有し得る。スプールはその中に形成された溝を含み得るとともに、溝は、スプールが締め付け方向に回転するとき紐締めシステムを締め付けるようにその中に紐を集めるとともにスプールが緩み方向に回転するとき紐締めシステムを緩めるようにそこから紐を解放するように構成され得る。リールは、ノブがハウジングに対して回転可能になるように、ハウジングによって支持されたノブを含み得る。ノブは、ノブの回転がスプールも回転させるように、スプールに結合され得る。ノブはハウジング歯に噛み合うように構成された１つまたは複数のつめを含み得るとともに、１つまたは複数のつめの少なくとも１つは、第１の端部においてノブに取り付けられるとともに第２の端部に形成された１つまたは複数のつめ歯部を有する可撓性つめアーム部を含み得る。つめアーム部は、ノブが締付け方向に回転することを可能にするために１つまたは複数のつめ歯部がハウジング歯から離れて変位されるように、ノブが締付け方向に回転したときに第１の方向に屈曲するように構成され得る。つめアーム部は、緩める力がノブを緩み方向に捻るように加えられたとき、緩み方向にノブが回転することを防ぐために、１つまたは複数のつめ歯部が対応するハウジング歯に噛み合うように構成されることができ、緩める力は、可撓性つめアーム部を緩める力の下で座屈させることを防ぐように可撓性つめアーム部がハウジング歯に当接するように、可撓性つめアーム部をハウジング歯に向かって第２の方向に屈曲させる。
【００１１】
いくつかの実施形態では、実施的に剛体のつめ梁部と可撓性のつめバネ部を含むつめが開示される。つめバネ部は可撓性つめアーム部であり得る。いくつかの実施形態では、つめ梁部は第１の位置と第２の位置との間で移動可能であり得るとともに、つめバネ部はつめ梁部を第１の位置に向かって付勢するように構成され得る。つめ梁部が第１の位置にあるとき、可撓性アーム部はより曲げられない姿勢をとり得るとともに、つめ梁部が第２の位置にあるとき可撓性アーム部はより曲げられた姿勢をとり得る。いくつかの実施形態では、可撓性アーム部は、より曲げられない姿勢にあるときより、より曲げられた姿勢にあるときに、湾曲されなくなり得る。いくつかの実施形態では、可撓性アーム部は概してつめバネ部と同じ方向に延び得る。いくつかの実施形態では、つめ梁部およびつめバネ部は一体に形成され得る。
【００１２】
いくつかの実施形態では、紐締めシステムのリールとともに使用され得るノブが開示される。ノブは１つまたは複数のつめを含み得る。１つまたは複数のつめの少なくとも１つはノブにピボット軸において結合され得る。少なくとも１つのつめは、第１の位置と第２の位置との間でピボット軸周りに回転するように構成されたつめ梁部、および、ノブが緩み方向に回転することを防ぐようにつめ梁部がリールのハウジング歯に噛み合う第１の位置に向かってつめ梁部を付勢し得るつめバネ部を含み得る。いくつかの実施形態では、つめバネ部はピボット軸の近くから概してつめ梁部と同じ方向に延び得る。いくつかの実施形態では、つめバネ部は可撓性アーム部であり得る。いくつかの実施形態では、可撓性アーム部はつめ梁部から離れて湾曲し得る。つめバネ部はつめ梁部と一体に形成され得る。
【００１３】
いくつかの実施形態では、紐締めシステム用のリールが開示される。リールは複数のハウジング歯を有するハウジングを含み得る。リールはハウジングによって支持されたスプールを有し得るとともに、スプールはハウジングに対して回転可能であり得る。リールは、ハウジングによって支持されたノブを含み得るとともに、ノブはハウジングに対して回転可能であり得る。ノブは、ノブの回転がスプールも回転させるように、スプールに結合され得る。ノブは１つまたは複数のつめを含み得るとともに、１つまたは複数のつめの少なくとも１つは、実施的に剛体のつめ梁部とつめバネ部を含み得る。つめ梁部は第１の位置と第２の位置との間で移動可能であり得るとともに、つめバネ部はつめ梁部を第１の位置に向かって付勢するように構成され得る。つめ梁部は、ノブが緩み方向に回転することを防ぐためにつめ梁部が第１の位置にあるときに、ハウジング歯と噛み合うように構成された１つまたは複数のつめ歯部を含み得る。いくつかの実施形態では、１つまたは複数のつめ歯部は、ノブがノブおよびスプールが締め付け方向に回転することを可能にするときに、ハウジング歯から離れて第２の位置に移動可能であり得る。実質的に剛体のつめ梁部は、緩める力に抵抗するように構成され得る。つめ梁部およびつめバネ部はいくつかの実施形態において一体に形成され得る。
【００１４】
本発明の特定の実施形態がここで以下の図を参照して詳細に説明される。これらの図は説明目的のためにのみ提供され、本発明は図に示された内容に限定されない。
【図面の簡単な説明】
【００１５】
【図１】図１は、運動靴に用いられる紐締めシステムの実施形態の斜視図である。
【図２】図２は、紐締めシステムの実施形態の斜視図である。
【図３】図３は、図２の紐締めシステムのリールの分解斜視図である。
【図４】図４は、図３のリールの別の分解斜視図である。
【図５】図５は、通常の線で描かれた非連動位置に示されたノブ部材、および点線で描かれた連動位置で示されたノブ部材を持つ、図３のリールの側面図である。
【図６】図６は、図３のリールのベース部材の斜視図である。
【図７】図７は、図４のベース部材の上面図である。
【図８】図８は、図４のベース部材の底面図である。
【図９】図９は、図４のベース部材の断面側面図である。
【図１０Ａ】図１０Ａは、図３のリールのスプール部材の斜視図である。
【図１０Ｂ】図１０Ｂは、スプール部材の他の実施形態の斜視図である。
【図１１】図１１は、図１０Ａのスプール部材の他の斜視図である。
【図１２】図１２は、図１０Ａのスプール部材の側面図である。
【図１３Ａ】図１３Ａは、紐が第１の配置でそこへ締付けられた状態を示す図１０Ａのスプール部材の断面図である。
【図１３Ｂ】図１３Ｂは、紐が第２の配置でそこへ締付けられた状態を示す図１０Ａのスプール部材の断面図である。
【図１３Ｃ】図１３Ｃは、紐が第３の配置でスプール部材に締付けられることを示す図１０Ａのスプール部材の斜視図である。
【図１３Ｄ】図１３Ｄは、紐を示す図１０Ａのスプール部材の斜視図である。
【図１４】図１４は、図４のベース部材のハウジングに配置されて示された図１０Ａのスプール部材の上面図である。
【図１５】図１５は、図３のリールのノブ部材の分解斜視図である。
【図１６】図１６は、図１５のノブ部材の別の分解斜視図である。
【図１７】図１７は、図１５のノブ部材のつめの斜視図である。
【図１８】図１８は、図１７のつめの別の斜視図である。
【図１９】図１９は、ハウジングのハウジング歯に噛み合うように構成されたつめを持つ、図１５のノブコア部に配置された図１５のつめの上面図である。
【図２０】図２０は、図４のベース部材上のハウジング歯と噛み合って示された図１５のつめの上面図である。
【図２１】図２１は、ノブ部材が締め付け方向に回転されたときに半径方向内側に変位されて示された図１５のつめの上面図である。
【図２２】図２２は、図１５のノブコア部に組み立てられて示された図１５のバネブシュ、締め具、およびノブの上面図である。
【図２３Ａ】図２３Ａは、連動形態で示された図４のリールの分解図である。
【図２３Ｂ】図２３Ｂは、連動形態で示された図４のリールの断面図である。
【図２４Ａ】図２４Ａは、非連動形態で示された図４のリールの分解図である。
【図２４Ｂ】図２４Ｂは、図２４Ａは、非連動形態で示された図４のリールの断面図である。
【図２５】図２５は、図４のベース部材の代わりに使用され得るベース部材の代替実施形態の斜視図である。
【図２６】図２６は、ノブコア部の代替実施形態の断面図である。
【発明を実施するための形態】
【００１６】
図１は、運動靴１０２を締付けるために用いられる紐締めシステム１００の斜視図である。運動靴は、ランニングシューズ、バスケットボールシューズ、スケート靴、またはスノーボードブーツ、あるいは履く人の足の周りに締め付けられ得る他の適切な履物であり得る。紐締めシステム１００は、例えば、ベルト、帽子、手袋、スノーボードのビンディング、医療用装具、またはバッグ等、様々な他の物品を閉じるまたは締めるために使用され得る。紐締めシステムは、リール１０４、紐１０６、および１つまたは複数の紐ガイド１０８を含み得る。図示された実施形態では、リール１０４は靴の舌部１１０に取付けられ得る。様々な他の配置も可能である。例えば、リール１０４は運動靴１０２の側部に取り付けられることができ、これは締め付けられたときに、露出された舌部１１０の小さい部分のみを残したまま靴の側部１１２ａ―ｂが互いに近くに引き寄せられるように設計される靴に対して有利になり得る。リール１０４はまた、靴１０２の後部にも取り付けられ得るとともに、紐１０６の一部は、後部に取り付けられたときに紐１０６がリール１０４と連動され得るように、履く人の踵の両側部で靴１０２を貫通し得る。
【００１７】
図２は、紐締めシステム１００、または本明細書に記載された任意の他の紐締めシステムに類似し得る、紐締めシステム２００の斜視図である。紐締めシステムは、リール１０４、または本明細書に記載された任意の他のリールに類似し得る、リール２０４を含み得る。図３はリール２０４の分解斜視図である。図４はリール２０４の他の分解斜視図である。
【００１８】
図２乃至４を参照すると、リール２０４はベース部材２１４、スプール部材２１６、およびノブ部材２１８を含み得る。ベース部材は、ハウジング２２０および取付フランジ２２２を含み得る。ハウジング２２０は複数のハウジング歯２２４を含み得る。このハウジング歯２２４は半径方向内側に延び得る。ハウジング２２０は、紐２０６がハウジング２２０に入ることを可能にする紐孔２２６ａ−ｂを含み得る。
【００１９】
スプール部材２１６は、スプール部材２１６がハウジング２２０に対して軸２２８周りに回転可能になるように、ハウジング２２０内に配置され得る。紐２０６は、スプール部材２１６が締め付け方向（矢印Ａで示される）に回転するときに紐２０６がハウジング２２０内に引き込まれるとともにスプール部材２１６に形成された溝２３０の周りに巻かれ、スプール部材２１６が緩み方向（矢印Ｂで示される）に回転するときに紐２０６がスプール部材２１６の溝２３０から解けるとともに紐孔２２６ａ−ｂを経由してハウジング２２０を出るように、スプール部材２１６に固定され得る。スプール部材２１６はまた、そこに形成されたスプール歯２３２を含み得る。本明細書に開示された実施形態は、矢印Ｂによって示された回転方向が紐締めシステムを締付けるとともに矢印Ａによって示された回転方向が紐締めシステムを緩めるように変更され得ることが理解されるであろう。
【００２０】
ノブ部材２１８は、ノブ部材２１８がハウジング２２０に対して軸２２８周りに回転し得るように、ハウジング２２０に取り付けられ得る。ノブ部材２１８は、ノブ部材２１８の締付け方向への回転がスプール部材２１６の締付け方向への回転ももたらすように、ノブ部材２１８をスプール部材２１８に結合するためにスプール歯２３２と噛み合うように構成され得るノブ歯２３４を含み得る。いくつかの実施形態では、ノブ部材２１８の緩み方向への回転も、スプール部材２１６に緩み方向に回転することをもたらし得る。ノブ部材２１８はまた、ハウジング歯２２４と噛み合うように半径方向外側に付勢され得る１つまたは複数のつめ２３６を含み得る。つめ２３６およびハウジング歯２２４は、ノブ部材２１８が締め付け方向に回転されたときハウジング歯２２４がつめ２３６を半径方向内側に変位させ得るように構成されることができ、したがって、ノブ部材２１８が締め付け方向に回転することが可能になる。つめ２３６およびハウジング歯２２４は、ノブ部材２１８を緩み方向に捻るように力が加えられたとき、つめ２３６およびハウジング歯２２４が互いに噛み合うように構成されることもでき、したがって、ノブ部材２１８が緩み方向に回転することが妨げられる。
【００２１】
したがって、リール２０４は、使用者がノブ部材２１８を締付け方向に回転することを可能にするように構成された一方向締め付けシステムを提供し得る。この一方向締め付けシステムは、スプール部材２１６を締め付け方向に回転させ、続いて紐２０６をハウジング２２０内に紐孔２２６ａ−ｂを介して引き込ませる。紐２０６がハウジング２２０内に引き込まれると、紐締めシステム２００は締め付けられることができ、紐ガイド２０８がリール２０４に向かう方向（図２に矢印Ｃで支援される）に引かれることをもたらす。紐締めシステム２００は単一の紐ガイド２０８とともに示されているが、任意の他の適切な数の紐ガイドが使用され得る。
【００２２】
いくつかの実施形態では、ノブ部材２１８は、第１のまたは連動位置と第２のまたは非連動位置との間で軸２２８に沿って軸方向に移動可能であり得る。図５は、通常の線で描かれた非連動位置にあるノブ部材２１８を示すとともに、点線で輪郭を描かれた連動位置にあるノブ部材２１８を示す、リール２０４の側面図である。連動位置にあるとき、スプール歯２３２は、上述のようにノブ部材２１８をスプール部材２１６に結合させるようにノブ歯２３４に噛み合い得る。また、連動位置にあるとき、つめ２３６は、上述のように、ノブ部材２１８が緩み方向に回転することを防ぐ一方でノブ部材２１８が締め付け方向に回転することを可能にするように、ハウジング歯２２４と噛み合い得る。
【００２３】
非連動位置にあるとき、ノブ部材２１８は、スプール部材２１６がノブ部材２１８から切り離されるとともにスプール部材２１６がノブ部材２１８から独立して自由に回転するように、ノブ歯２３４をスプール歯２３２から離れて持ち上げるとともにスプール歯２３２を噛み合いを外すのに十分な距離だけベース部材２１４から軸方向にさらに離れて位置され得る。したがって、スプール部材２１６が緩み方向に回転し、紐締めシステム２００を緩めると、紐２１６はハウジング２２０から引き出され得る。非連動位置にあるとき、ノブ部材２１８のつめ２３６は、噛み合いを外すとともにノブ部材２１８が拘束なしに締付けおよび緩み方向の両方に自由に回転するように、ハウジング歯２２４から離れて持上げられ得る。いくつかの実施形態では、ノブ部材２１８が非連動位置に移行されるとき、ノブ歯２３４はスプール歯２３２から噛み合いを外すとともにつめ２３６もまたハウジング歯２２４から噛み合いを外す。いくつかの実施形態では、ノブ部材２１８が連動位置に移行されるとき、ノブ歯２３４はスプール歯２３２から噛み合いを外す一方つめ２３６はハウジング歯２２４に噛み合い続ける。いくつかの実施形態では、ノブ部材２１８が非連動位置に移行されるとき、ノブ歯２３４はスプール歯２３２に噛み合い続けるが、つめ２３６はハウジング歯２２４から噛み合いを外す。
【００２４】
ノブ部材２１８の連動位置と非連動位置との間の距離２３８は、少なくとも約１ｍｍおよび／または約３ｍｍ以下であることができ、いくつかの実施形態では約２．５ｍｍであり得るが、この範囲の外の距離も使用され得る。いくつかの実施形態では、距離２３８は、スプール歯２３２の高さ、ノブ歯２３４の高さ、ハウジング歯２２４の高さ、および／またはつめ２３６の高さと略同じ、またはわずかに大きくなり得る。
【００２５】
いくつかの実施形態では、つめ２３６がハウジング歯２２４に半径方向に噛み合う一方、ノブ部材２１８は軸方向に連動位置と非連動位置の間で移動可能であるため、リール２９４は偶発的な解放に強くなり得る。ノブ部材が連動位置にあり、ノブ部材２１８を緩み方向に捻ろうと試みる力が加えられるとき、あるいは紐が強く引かれてスプール部材２１８を緩み方向に捻ろうと試みるとき、つめ２３６がハウジング歯２２４に噛み合うので、力はつめ２３６に加えられる。つめ２３６は、軸方向でなく、半径方向に変位されるように構成されるので、実質的に、つめ２３６に加えられた力は軸方向に伝達されない。したがって、リール２０４は、ノブつめがハウジング歯に軸方向に噛み合ういくつかのリールより、高い締め付け圧力に耐え得る。
【００２６】
図６はベース部材２１４の斜視図である。図７は、ベース部材２１４の上面図である。図８は、ベース部材２１４の底面図である。図９は、ベース部材２１４の断面側面図である。ベース部材２１４は、履物一点または他の物品の外部構造に取り付けられ得る取付フランジ２２２を含む、または取付フランジ２２２は、少なくとも取付フランジ２２２の一部が視界から隠されるように物品の外部構造の下部に取り付けられ得る。取付フランジ２２２は、縫うこと或いは、例えば接着剤を使用する、またはリベットを使用する等、他の適切な方法によって、物品に固定され得る。取付フランジ２２２は、物品の特定の部分（例えば、靴のかかと）に合うように形成され得る、あるいは、取付フランジは様々な形状に合うように可撓性であり得る。取付フランジ２２２は、ハウジング２２０の外周の周りに完全にまたは部分的に広がり得る。取付フランジ２２２は、使用中物品の屈曲に対応するために多少弾力的であり得る。いくつかの実施形態では、取付フランジ２２２は省略され得るとともに、ベース部材２１４またはハウジング２２０が、ねじ、リベット、または他の締め具によって物品に取り付けられ得る。例えば、ベース部材２１４またはハウジング２２０のねじ部は、物品のねじ付きコネクタ内にねじ込まれ得る。いくつかの実施形態では、取付フランジ２２２が物品に接続されるとともにリール２０４は実質的にフランジ２２２に取り付けられる。
【００２７】
ハウジング２２０は、図示されたように、取付フランジ２２２に取り付けられ得る、または取付フランジ２２２と一体に形成され得るとともに、そこから上方に延び得る。ハウジング２２０は凹所２４２を囲む外壁２４０を含み得る。この凹所２４２は実質的に形状が円であり得る。軸２４４が凹所２４２の底部から軸方向上方に延び得るとともに、軸２４４は凹所２４２と略同軸に配置され得る。軸２４４は、軸２４４が凹所２４２の底部と交わる段２４５または傾斜部分を含み得る。軸２４４は、その中心にノブ部材２１８のハウジング２２０への固定を促し得るボア２４６を含み得る。ボア２４６はねじ山をつけられ得る、あるいは、そこに挿入される締め具を軸方向に固定するように構成され得る。軸２４４は、その周りをスプール部材２１６が回転し得る支持面を形成し得る。
【００２８】
ハウジング２２０の外壁２４０は形状が実質的に円筒形であり得るとともに軸２４４に略同軸であり得る。外壁２４０の内面は下方部分２４８および上方部分２５０を含み得る。下方部分２４８は、概して滑らかであり得るとともに外壁２４０が凹所２４２の底部と交わる段２５１または傾斜部分を含み得る。下方部分２４８は、紐２０６がハウジング２２０を通過し得るとともに凹所２４２に入り得るように紐溝２５４ａ−ｂによって紐孔２２６ａ−ｂに接続され得る１つまたは複数の紐開口２５２ａ−ｂを含み得る。図９に最も良く見られるように、紐孔２２６ａ−ｂに最も近い紐溝２５４ａ−ｂの下方部分は閉じられ得る一方、紐開口２５２ａ−ｂに最も近い紐溝２５４ａ−ｂの上方部分は上部において開かれ得る。また、紐溝２５４ａ−ｂおよび／または紐開口２５２ａ−ｂは、ハウジング２２０の底部に形成された開口２５６ａ−ｂと接続され得る。開口２５６ａ−ｂおよび紐溝２５４ａ−ｂの開放上部は、使用中および取付中に紐２０６へのアクセスを提供し得るとともに、水または使用中に凹所２４２に入り得る他の材料のための出口通路も提供することができ、ベース部材２１４が少ない構成部品（例えば、単一の一体化された部品）で作られるとき、紐溝２５４ａ−ｂの成形を容易にし得る。
【００２９】
ハウジング２２０は外壁２４０の上方部分２５０から半径方向内側に延びるハウジング歯２２４を含み得る。図示された実施形態では、ハウジングは３６個のハウジング歯２２４を含むが、任意の他の適切な数のハウジング歯２２４が使用され得る。図７に最も良く見ることができるように、ハウジング歯２２４のそれぞれは、第１の側部２５８および第２の側部２６０を含み得る。第１の側部２５８は第２の側部２６０より短くなり得るとともに、いくつかの実施形態では、第１の側部２５８は長さが第２の側部２６０の約半分と同じになり得る。いくつかの実施形態では、ハウジング歯２２４の第１の側部２５８は、少なくとも約０．５ｍｍの長さおよび／または約１．０ｍｍの長さ以下、また約０．８５ｍｍの長さになり得るとともに、第２の側部は少なくとも約１．０ｍｍの長さおよび／または約２．０ｍｍの長さ以下、また約１．７５ｍｍの長さになり得る。これらの特定の範囲の外のほかの寸法も可能である。ハウジング歯２２４の第１の側部２５８は、ちょうど半径方向内側を向く線から角度２６２だけ離れて角度を付けられることができ、この角度２６２は少なくとも約５°および／または最大約１５°になり得るとともに、いくつかの実施形態では約１０°になり得る。ハウジング歯２２４の第２の側部２６０は、ちょうど半径方向内側を向く線から角度２６４だけ離れて角度を付けられることができ、この角度２６４は少なくとも約４５°および／または約６５°以下になり得るとともに、いくつかの実施形態では約５５°になり得る。これらの特別に識別された範囲の外の他の角度も可能である。いくつかの実施形態では、ハウジング歯２２４の間およびハウジング歯２２４の第１と第２の側部２５８、２６０の間の移行部は湾曲され得るが、鋭く縁取られた移行部も使用され得る。ハウジング歯２２４は、以下により詳細に説明されるように、つめ２３６と接するように構成され得る。ハウジング歯２２４は、以下により詳細に説明されるように、つめ２３６の非噛み合いから噛み合い位置への移行を容易にするための角度を付けられた（傾斜した）上面２６６を含み得る。
【００３０】
ベース部材２１４は、ノブ部材２１８がハウジング２２０に取り付けられたとき、ガード片２６８がノブ部材２１８の一部を覆うように機能し得るように、ハウジング２２０の外壁２４０よりさらに軸方向上方に延び得る１つまたは複数のガード片２６８を含み得る。いくつかの実施形態では、ガード片２６８は省略され得る。いくつかの実施形態では、リール２０４は、物品の一部それ自体がノブ部材２１８の一部を覆うために延びるように、物品の凹所内に配置され得る。ガード片２６８、またはガードとして機能する物品の部分は、ノブ部材２１８を保護し得るとともに、ノブ部材２１８の偶発的な解放の発生を減少させ得る。
【００３１】
図１０Ａはスプール部材２１６の斜視図である。図１１は、スプール部材２１６の他の斜視図である。図１２は、スプール部材２１６の側面図である。図１３Ａ−Ｂは、そこへ取り付け紐２０６を備えるスプール部材２１６の断面図である。図１４は、ハウジング２２０内に配置されたスプール部材２１６の上面図である。
【００３２】
スプール部材２１６は、それらの間に形成される略円筒壁２７４を持つ上方フランジ２７０および下方フランジ２７２を含み得る。壁２７４の外面、上方フランジ２７０の底面、および下方フランジ２７２の上面は、スプール部材２１６の周りに巻かれるときに紐２０６を受け取るための溝２３０を形成し得る。壁２７４の内面はスプール部材２１６の底面に形成された凹所２７６を囲み得る。中央開口部２７８は凹所の天井を通って延び得る。図１４に最も良く見ることができるように、スプール部材２１６がハウジング２２０の凹所２４２内に配置されるとき、軸２４４はスプール部材２１６の中央開口部２７８を貫通し得る。軸２４４の底部の段２４５または傾斜端部は、スプール部材２１６の底部に形成された凹所２７６内に収容され得る。下方フランジ２７２は、下方フランジ２７２が凹所２４２の端部の段２５１または傾斜端部に適合し得るとともに、紐２０６が取り付けられた状態でハウジング２２０から／内へのスプール部材２１６の取り外し／設置を容易にするように、（図１２に最も良く見ることができるように）上方フランジ２７０よりわずかに小さく形成され得る。したがって、いくつかの実施形態では、下方フランジ２７２の底面は、凹所２４２の基部に対して同一平面状に位置し得る。いくつかの実施形態では、ハウジング２２０の一部は、スプール部材２１６が回転するときの摩擦の量を減らすために下方フランジ２７２の底面を凹所の基部から小さい距離に保つように、スプール部材２１６の一部に接触するように構成され得る。スプール部材２１６がハウジング２２０の凹所２４２に完全に挿入されたとき、上方フランジ２７０の上面は、上方フランジ２７０がハウジング歯２２４と重ならないように、外壁２４０の下方部分２４８の上部と略揃い得る。
【００３３】
スプール歯２３２はスプール部材２１６の上面に形成され得る。図示された実施形態では、１２個のスプール歯２３２が示されているが、任意の他の適切な数のスプール歯２３２が使用され得る。スプール歯２３２のそれぞれは、第１の側部２８０および第２の側部２８２を含み得る。第１の側部２８０は、いくつかの実施形態では、略垂直になり得る。いくつかの実施形態では、第１の側部は、少なくとも約５°だけおよび／または約１５°以下で、またいくつかの実施形態では約１０°だけ垂直面から角度を付けられ得る。第２の側部２８２は、少なくとも約３５°だけおよび／または約５５°以下で、またいくつかの実施形態では約４５°だけ垂直面から角度を付けられ得る。第１の側部２８０は、少なくとも約１．５ｍｍの長さおよび／または約２．５ｍｍの長さ以下になることができ、また約２ｍｍの長さになり得る。第２の側部は、少なくとも約２．５ｍｍの長さおよび／または約３．５ｍｍの長さ以下になることができ、また約３ｍｍの長さになり得る。特定された範囲の外の寸法および角度も使用され得る。スプール歯２３２は、本明細書に詳細に説明されるように、ノブ歯２３４に接するように構成され得る。
【００３４】
いくつかの実施形態では、１つまたは複数の切欠部２８１ａ−ｂがスプール部材２１６の上方フランジ２７０に形成され得る。また、いくつかの実施形態では、上方フランジ２７０および／または下方フランジは形状が略円であり得るが、１つまたは複数の偏平端部２８３ａ−ｄを有し得る。切欠部２８１ａ−ｂおよび／または偏平端部２８３ａ−ｄは、スプール部材２１６のハウジング２２０からの取り外し（例えば、紐２０６を交換するとき）を容易にし得る。ドライバまたは他の工具がスプール部材２１６とハウジング２２０の壁との間に挿入され得るとともに、スプール部材２１６はハウジング２２０の外に引き出され得る。多くの変形が可能である。例えば、図１０Ｂは、スプール部材２１６の上方フランジ２７０’および下方フランジ２７２’が偏平端部２８３ａ−ｄを有さないことを除いて、多くの点でスプール部材２１６と同様であるスプール部材２１６’の斜視図である。したがって、上方フランジ２７０’および下方フランジ２７２’は形状が略円であり得る。いくつかの実施形態では、上方フランジ２７０’は、スプール部材２１６’のハウジング２２０からの取り外しを容易にし得る切欠部２８１ａ’および２８１ｂ’を含み得る。いくつかの実施形態では、偏平端部２８３ａ−ｄを含まないフランジ２７０’および２７２’は、特に比較的細い紐が使用されるときに、紐２０６がハウジング２２０と偏平端部２８３ａ−ｄとの間に形成される隙間に噛み込むまたは挟まるようになることを防ぎ得る。
【００３５】
溝２３０の深さは、少なくとも約１．５ｍｍおよび／または約２．５ｍｍ以下になることができ、またある場合には約２ｍｍになり得る。溝２３０は、少なくとも約３．０ｍｍおよび／または約４．０ｍｍ以下である、またある場合には約３．５ｍｍになり得る幅を有し得る。壁２７４の外面は、少なくとも約１０ｍｍおよび／または約２０ｍｍ以下である、またある場合には約１４ｍｍになり得る直径を有し得る。与えられた範囲の外の寸法も可能である。紐２０６は、溝２３０が少なくとも約３００ｍｍの紐および／または約６００ｍｍ以下の紐、またある場合には約４５０ｍｍの紐を保持し得るほど概して小さい直径になり得るが、スプール部材２１６および紐２０６は与えられた範囲の外の紐の量を保持するように構成され得る。
【００３６】
紐またはケーブルは、少なくとも約０．５ｍｍおよび／または約１．５ｍｍ以下の直径を有することができ、またある実施形態では直径は約０．７５ｍｍまたは１．０ｍｍになり得るが、これらの範囲の外の直径も使用され得る。紐２０６は、低い弾性係数および高い引張り強度を有する非常に滑らかなケーブルまたは細長い糸であり得る。ある実施形態では、ケーブルは織り合わせられた材料の複数のストランドを有し得る。任意の適切な紐が使用され得るが、いくつかの実施形態は、伸び切り鎖、高弾性ポリエチレン繊維から形成された紐を利用し得る。適切な紐材料の１つの例は、Ｎｅｗ  Ｊｅｒｓｅｙ、Ｍｏｒｒｉｓ  ＴｏｗｎｓｈｉｐのＨｏｎｅｙｗｅｌｌによって製造された、ＳＰＥＣＴＲＡ（商標）の商品名で販売されている。伸び切り鎖、高弾性ポリエチレン繊維は有利に、高い強度重量比を有し、耐切断性であり、非常に低い弾性を有する。この材料で作られた１つの好適な紐は堅く織られる。密な織り方は、完成した紐に追加の剛性を提供する。織り方によって提供される追加的な剛性は、紐が（例えばリール２０４内に）容易に通されるように、強化された押込力伝達性（ｐｕｓｈａｂｉｌｉｔｙ）を提供する。加えて、いくつかの実施形態では、紐は成形されたモノフィラメントポリマーから形成され得る。いくつかの実施形態では、紐はポリマーまたは他の潤滑コーティングを持つ或いは持たない編まれた鋼から作られ得る。
【００３７】
紐２０６の１つまたは複数の端部はスプール部材２１６に固定され得る。いくつかの実施形態では、紐２０６はスプール部材２１６に取り外し可能にまたは固定して取り付けられ得る。いくつかの実施形態では、紐２０６がスプール部材２１６に形成された孔に通され得るとともに結び目が紐２０６の端部に形成され得る、或いは、固定部材が、端部が孔を通って引き戻されることを防ぐために、そこに取り付けられ得る。いくつかの実施形態では、紐２０６はスプール部材２１６の一部に結ばれ得る。紐はまた、スプール部材２１６に接着剤または任意の適切な方法によって固定され得る。いくつかの実施形態では、紐２０６は、紐２０６がスプール部材２１６から取り外されることを防ぐ十分な摩擦を生み出すような角度で紐２０６を曲げさせる一連の開口を通って紐２０６を進ませることによって、スプール部材２１６に固定される。いくつかの実施形態では、紐２０６は、引かれたときに紐２０６が自身を締め付けるように、自身に巻き付く。いくつかの実施形態では、紐２０６の一方の端部のみがスプール部材２１６に固定され、紐２０６の他方の端部はベース部材２１４または締め付けられる物品に固定される。
【００３８】
スプール部材２１６は、紐２０６の第１の端部を固定するように構成され得る第１の組の紐孔２８４ａ、２８６ａ、２８８ａを含み得る。いくつかの実施形態では、第２の組の紐孔２８４ｂ、２８６ｂ、２８８ｂが、紐２０６の第２の端部を固定するために使用され得る。紐ガイド２９０ａ−ｂもまた、凹所２７６内に紐２０６のスプール部材２１６への固定を容易にするために形成され得る。
【００３９】
図１３Ａに示された実施形態では、紐２０６の第１の端部は紐孔２８４ａを通って凹所２７６内に通り得る。紐ガイド２９０ａは、紐２０６を紐孔２８６ａに向けることができ、いくつかの実施形態では、紐ガイド２９０ａは、紐２０６が紐ガイド２９０ａと、孔２８４ａと孔２８６ａとの間の壁２７４の一部２９２ａとの間に押し込まれるように、配置され得る。紐２０６は、紐孔２８６ａを通って凹所２７６に出ることができ、次に紐孔２８８ａを通って凹所に再び入るために約１８０°の角度で曲がり得る。いくつかの実施形態では、紐２０６の第１の端部の先端は、先端が凹所２７６内で動き回るとともにスプール部材２１６の回転に干渉することを防ぐために、反対側の紐ガイド２９０ｂに押し込まれ得る。いくつかの実施形態では、紐孔２８４ｂ、２８６ｂ、２８８ｂを通過する紐２０６の量は、紐２０６のごく一部のみが孔２８８ａを通って凹所２７６内に再び入るように構成され得るので、先端は反対側の紐ガイド２９０ｂに押し込まれない。紐２０６の第２の端部は、スプール部材２１６に、紐孔２８４ａ、２８６ｂ、２８８ｂ、紐ガイド２９０ｂ、および壁２７４の一部２９２ｂによって同様に固定され得る。
【００４０】
他の紐を固定する構成も可能である。例えば、図１３Ｂに示された実施形態では、紐２０６の第１の端部は凹所２７６に入るために、紐孔２８４ａを通過する。紐ガイド２９０は、紐２０６を紐孔２８８ｂに向けることができ、紐ガイド２９０ａは、紐２０６が紐ガイド２９０ａと、紐孔２８４ａに隣接する壁の一部２９４ａとの間に押し込まれるように構成され得る。紐２０６は、紐孔２８８ｂを通過することができ、次に紐孔２８６ｂを通って凹所２７６に再び入るために約１８０°の角度で曲がり得る。紐２０６の第２の端部は、スプール部材２１６に、紐孔２８４ｂ、２８８ａ、２８６ａ、紐ガイド２９０ｂ、および壁２７４の一部２９４ｂによって同様に固定され得る。
【００４１】
図１３Ｃおよび１３Ｄは紐２０６がスプール部材２１６に固定され得る別の方法を示す。図１３Ｃに示されるように、紐２０６の端部は、紐孔２８４ａを通って凹所２７６に通され、そして紐孔２８６ａを通って凹所２７６の外に通され、そしてまた紐孔２８８ａを通って凹所２７６に戻される。紐２０６の端部は次に、図１３Ｃに示されるように、紐孔２８４ａ、２８６ａの間に形成された紐の輪を通され得る。そして、紐２０６は、図１３Ｄに示されるように、紐がそれ自体の中で交差するように締められ得る。例えば、紐２０６の結んでいない端は、紐孔２８６ａと２８８ａとの間に形成された輪からたるみを取り除くために、紐孔２８４ａと２８６ａとの間に形成された輪を引く間に片方の手で保持され得る。紐孔２８４ａと２８６ａとの間に形成された輪のたるみは、紐が締まるまで紐孔２８４ａを通って凹所２７６の外に引かれ得る。したがって、いったん締め付けられると、紐２０６はそれが引かれたときによりきつくそれ自身を押し、したがって、紐２０６がスプール部材２１６から外れることを防ぐ。
【００４２】
紐は、図示されたように、紐孔２８８ａに最も近い輪の部分の上部の上を通り、次に紐孔２８８ａから最も遠い輪の部分の下を通り得る。そして、紐が締め付けられたとき、紐２０６の結んでない端は、紐が紐孔２８８ａから最も遠い輪の部分の上部の上を通される場合のように、概して凹所２７６から外に向けられるよりむしろ、概して凹所２７６の基部に向けられ得る。紐の結んでない端を凹所２７６の基部に向けて付勢することによって、紐の結んでない端は、スプール部材２１６のハウジング２２０への挿入に干渉することが防がれ得る。紐ガイド１９０ａは、紐２０６の結んでない端が中央開口部２７８に入らないまたはハウジング２２０に挿入されるスプール部材２１６と干渉しないように、紐２０６の結んでない端が凹所２７６の周囲の近くに位置することを保つように配置され得る。
【００４３】
図１５は、ノブ部材２１８の分解斜視図である。図１６は、ノブ部材２１８の別の分解斜視図である。ノブ部材は、ノブコア２９６、つめ２３６、バネブシュ２９８、締め具３００、ノブバネ３０２、ノブカバー３０４、ノブグリップ３０６を含み得る。
【００４４】
ノブコア２９６は概して円板形状であり得る。ノブコア２９６は、その底面に形成されたノブ歯２３４を含み得る。図示された実施形態では、１２個のノブ歯２３４が示されるが、任意の他の適切な数のノブ歯２３４が使用され得る。いくつかの実施形態では、同じ数のノブ歯２３４およびスプール歯２３２が使用され得るとともに、ノブ歯２３４がスプール歯２３２と噛み合うことができるようにノブ歯２３４が反対方向に向けられることを除いて、スプール歯２３２と同様にまたは同じに形成され得る。したがって、スプール歯２３２に関する上述の寸法はノブ歯２３４にも適用され得る。ノブ部材２１８が締め付け方向に回転されるとき、ノブ歯２３４の第１の側部３０８は、スプール部材２１６を締め付け方向に駆動するようにスプール歯２３２の第１の側部２８０に押圧され得る。紐２０６がスプール部材２１６の周りに締め付けられ、スプール部材２１６にそれを緩み方向に捻る傾向にさせる力が加えられるとき、スプール歯２３２の第２の側部２８２は、力がノブ材２１８にそれを緩み方向に捻る傾向にさせるために伝達されるように、ノブ歯２３４の第２の側部３１０に当接し得る。以下に説明されるように、力はつめ２３６がノブ部材２１８およびスプール部材２１６が緩み方向に回転することを防ぐように、ハウジング歯２２４と噛み合うことをもたらすことができ、したがって紐２０６を締め付けられた形態に保つ。
【００４５】
ノブコア２９６はノブカバー３０４をそこに固定することを容易にするための特徴を含み得る。ノブコア２９６は、ノブコア２９６の周辺に近い上面に形成された切欠き部３１２を含み得る。突出部３１４が切欠き部３１２の下の位置でノブコア２９６の周辺から半径方向外側に延び得る。ノブコア２９６は、その中心を通る中央開口部３１６を含み得る。この中央開口部３１６はバネブッシュ２９８を受けるように構成され得る。中央開口部３１６の上部は、その中に段３１８を形成するように中央開口部３１６の下方部分より広くなり得る。ノブコア２９６はまた、そこへのノブバネの固定を容易にするための、例えば、幅の広い係合タブ３２０および幅の狭い係合タブ３２２を含む、特徴も含み得る。
【００４６】
ノブコア２９６はまた、対応するつめ２３６を受け入れるように構成された、つめ凹部３２４も含み得る。つめ凹部３２４は概してつめ２３６と同様に形成され得るが、本明細書のいずれかに詳細に記載されるように、作動中につめ２３６がつめ凹部３２４内で旋回（揺動）および移動することを可能にするように、つめ２３６より多少大きくなり得る。つめ凹部３２４は、つめの一部（例えばつめ歯部）の一部がノブコア２９６を通って延びる（図４に示された組み立てられたノブ部材２１８内に見ることができる）とともにハウジング歯２２４と接することを可能にするように、基部の一部および／または側部の一部に形成されたつめ開口３２６を含み得る。
【００４７】
図１７および１８はつめ２３６の斜視図である。つめ２３６は、つめ基部３２８、つめ梁部３３０、およびつめバネ部３３２を含み得る。つめ基部３２８は、つめ２３６が軸３３４回りに旋回し得るように、ノブコア２９６および／またはノブカバー３０４と接続するように構成され得る。ピボットタブ３３６はつめ基部３２８から軸３３４に沿って上方に延び得る。ピボットタブ３３６は、形状が略円筒形であり得るとともに軸３３４と同軸であり得る。フランジ３３７はつめ基部３２８一方の側部から外に延び得るとともに、フランジ３３７はつめ２３６の旋回を容易にし得る。図１７および１８に見ることができるように、いくつかの実施形態では、つめ梁部３３０、つめバネ部３３２、およびつめ２３６のほかの構成要素は単一の部品として一体に形成され得る（例えば成形される）。
【００４８】
つめ梁部３３０は、ノブ部材２１８が締め付け方向に回転されたとき、つめ２３６がハウジング歯２２４によって変位されるが、つめ梁部３３０は実質的に剛体であるとともに屈曲しないような、材料、厚さ、および長さで形成され得る。１つまたは複数のつめ歯部３３８ａ−ｂは、つめ基部３２８の反対のつめ梁部３３０の端部の近くに位置され得る。図示された実施形態では、２つのつめ歯部３３８ａ−ｂが使用されるが、任意の他の適切な数のつめ歯部３３８ａ−ｂが使用され得る。つめ歯部３３８ａ−ｂ、またある場合にはつめ梁部３３０全体は、本明細書のいずれかにより詳細に説明されるように、ノブ部材２１８の非連動位置から連動位置への移行を容易にし得る、曲げられたまたは傾斜した底面３３９を有し得る。つめ梁部３３０は、つめ梁部３３０の端部がつめ２３６の残りの部分より下方に延びる所に形成された段３４０を含み得る。つめ梁部の下方延長部分は、ノブコア２９６のつめ凹部３２４に形成されたつめ開口３２６を通ってまたはつめ開口３２６内に延びるように構成され得る。
【００４９】
つめ基部３２８は、（図１９に見ることができるように）つめ凹部３２４の表面３２４ａに噛み合うように構成された端部表面３２８ａを含み得る。いくつかの実施形態では、圧力が１つまたは複数のつめ歯部３３８に加えられると、荷重がつめ梁部３３０を通って端部表面３２８ａと表面３２４ａの噛み合い部に伝達され得る。いくつかの実施形態では、つめ２３６が軸３３４回りに半径方向外側に旋回すると、つめ基部３２８の端部表面３２８ａはつめ凹部３２４の表面３２４ａに当接することができ、したがって、つめ３２６が半径方向外側に旋回し得る距離を制限する。例えば、つめ２３６は、ハウジング歯２２４と噛み合うのに十分であるが、著しく遠くではなく半径方向外側に旋回することが可能にされ得る。これは、以下に説明されるように、緩める力が、つめ２３６を半径方向外側に付勢する力の成分を生み出し得るノブ部材２１８に加えられたとき、つめ２３６から圧力を解放し得る。表面３２８ａと３２４ａとの間の接触面はまた、ノブ部材２１８が非連動位置にあるときつめ２３６の半径方向の動きも制限することができ、したがって、つめ２３６を、ノブ部材２１８がつめ２３６からの実質的な干渉なしに、連動位置に押され得るのに十分に半径方向内側に保つ。いくつかの実施形態では、つめ２３６は、つめ凹部３２４内に配置されるとともに概してノブカバー３０４とノブコア２９６との間に閉じ込められる。以下に説明されるように、上部タブ３８４は、つめ２３６の軸方向の動きを妨げるためにピボットタブ３３６に係合し得る。同様に、ノブカバー３０４から下方に延びる梁部タブ３８５は、つめ梁部３３０の上面に、その軸方向の動きを妨げるために係合し得る。
【００５０】
つめバネ部３３２は、図示された実施形態に示されるようにカンチレバーまたはアーチ形バネである得るが、任意の他の適切な種類のバネが使用され得る。つめバネ部３３２は、つめ梁部３３０と概して同じ方向につめ基部３２８から外に延び得る。つめバネ部３３２は、つめ梁部３３０から離れて曲げられ得る。概して円柱状の端部片３４２がつめバネ部の端部に形成され得る。つめバネ部３３２は、ノブ部材２１８が締め付け方向に回転されたとき、つめ２３６がハウジング歯２２４によって変位されるにつれて屈曲するように、つめバネ部３３２が弾性的で可撓性であるような、材料、厚さ、および長さで作られ得る。つめバネ部３３２は、図１７および１８において弛緩位置で示される。いくつかの実施形態では、つめ梁部３３０およびつめバネ部３３２は独立して形成され、次につめ２３６を形成するように結合される。したがって、つめ梁部３３０およびつめバネ部３３２は同じ材料で形成される必要はない。例えば、金属つめ梁部３３０が、比較的高い強度対厚さ比のために有利になり得る一方、プラスチックつめバネ部３３２を使用することは有利になり得る。いくつかの実施形態では、つめ梁部３３０およびつめバネ部３３２が別々に形成されたときでさえ、同じ材料が使用され得る。図１７−１８に示された実施形態では、つめバネ部３３２およびつめ梁部３３０は単一の部品として同じ材料で一体に形成され得るので、製造および組立コスト並びに複雑さを減らす。いくつかの実施形態では、図示された実施形態に示されたものと異なるバネが使用され得る。例えば、金属またはプラスチックの板バネ或いはワイヤコイルバネが、いくつかの用途では使用され得る。
【００５１】
つめ梁部３３０およびつめバネ部３３２は別々の部分であるため、つめバネ部３３２は、ノブ部材２１８が緩み方向に捻られたときにつめ梁部３３０が耐えることができる力の量を減らすことなしに、（例えば、つめバネ部３３２をより薄く作ることによって）より容易に曲げやすくなるように変更され得る。同様に、つめ梁部３３０は、つめバネ部３３２の可撓性を低下させることなしに（例えば、つめ梁部３３０をより厚く作ることによって）ノブ２１８に緩み方向に加えられたより大きい力に耐え得るように、変更され得る。したがって、つめ２３６は、所望のレベルの可撓性および強度に調整され得る。例えば、つめ２３６は、ノブ部材２１８が緩み方向に捻られるときに大きい力に耐えるように構成され得ると同時に、ノブ部材２１８が締め付け方向に回転されるときに容易に半径方向に変位可能である。いくつかの実施形態では、ノブ部材２１８が緩み方向に捻られるときにつめ２３６に加えられる力は、つめ梁部３３０によって支えられるとともに、つめバネ部３３２によっては実質的に何の力も支えられない。可撓性のつめの荷重支持能力は、つめがより柔軟に作られるほど減少し、つめの可撓性は梁部がより高い力に耐えるように作られるほど減少するため、この構成は、つめが（例えば、締め付け中に）つめを変位させるために同様に曲がる荷重支持梁部を含む実施形態に対して有利になり得る。したがって、可撓性のつめ梁部を使用するとき、十分な量の緩める力はつめ梁部に曲がることを生じさせ、したがって紐締めシステムを損なう。しかし、つめ２３６を使用するとき、つめ梁部３３０は、比較的大きい緩める力が加えられたときでさえ実質的に剛体であるように構成され得るとともに、つめバネ部３３２は、締め付け力が加えられたときにつめ梁部３３０が容易に旋回することを可能にするように構成され得る。
【００５２】
図１９は、ノブコア２９６のつめ凹部３２４の内側に配置されたつめ２３６を示す上面図である。ハウジング２２０は図１９に示されていないが、つめ２３６は、つめ歯部３３８ａ−ｂがハウジング歯２２４に噛み合わされる位置で示される。図２０は、つめ歯部３３８ａ−ｂがハウジング歯２２４に噛み合わされた図１９と同じ位置でのベース部材２１４およびつめ２３６を示す上面図である。図２１は、ノブ部材２１８が締め付け方向に回転されたときの変位された形態のベース部材２１４およびつめ２３６の上面図である。つめ２３６以外のノブ部材２１８、およびスプール部材２１６の要素は、単純化のために図２０および２１に示された図から省略されている。
【００５３】
いくつかの実施形態では、つめバネ部３３２は、つめ凹部３２４内に挿入されたとき、弛緩した位置より少なく湾曲された位置に部分的に曲げられ得る。曲げられたつめバネ部３３２は、つめ梁部３３０が半径方向外側に付勢されるとともにつめ歯部３３８ａ−ｂがハウジング歯２２４に半径方向外側に当接するように、つめ２３６に旋回する傾向になることをもたらす。ノブ部材２１８が緩み方向（矢印Ｂで示される）に捻られるとき、つめ歯部３３８ａ−ｂの第１の側部３３４ａ−ｂは、ノブ部材２１８が緩み方向に回転することを防ぐために、ハウジング歯２２４の第１の側部２５８に当接し得る。いくつかの実施形態では、つめ凹部３２４は、つめバネ部３３２が部分的に曲げられる必要なしに、つめ２３６を収容するように構成され得る。したがって、いくつかの実施形態では、つめバネ部３３２は、つめ梁部３３０がノブ２１８が緩むことを防ぐために、ハウジング歯２２４と噛み合わされたとき、弛緩位置にあり得る。つめ梁部３３０がハウジング歯２２４から離れて変位されたとき、つめバネ部３３２は、つめ梁部３３０がハウジング歯２２４に向かって付勢されるように、弛緩状態から曲げられた状態に移行し得る。また、例えば図２０に示されるように、いくつかの実施形態では、１つまたは複数のつめ歯部３３８ａ−ｂは、つめ２３６のピボット軸３３４から延びる接線の半径方向外側の位置で、ハウジング歯２２４と噛み合い得る。図２０の実施形態では、つめ歯部３３８ｂは、少なくとも約５°および／または約１５°以下である、またいくつかの実施形態では約１０°になり得る角度３４５だけ、接線Ｃから半径方向外側に角度を付けられた線上の位置において、対応するハウジング歯２２４に噛み合い得る。したがって、緩める力がノブ部材２１８に加えられたとき（矢印Ｂで示される）、力の成分はつめ２３６が半径方向外側に旋回することを促すように向けられる。したがって、より大きい緩める力がノブ部材２１８に加えられたとき、つめ歯部３３８ａ−ｂは、ハウジング歯２２４によりしっかりと噛み合うように付勢される。これは、大きい緩める力が加えられたとき、つめ２３６がハウジング歯２２４から偶発的に外れることを防ぎ得る。つめ２３６が半径方向外側に付勢されるので、つめ梁部は、つめ歯部３３８ａ−ｂによって噛み合わされない１つまたは複数のハウジング歯２２４の先端に当接し得る。このつめ歯部３３８ａ−ｂは、つめ梁部３３０が外側に曲がることを防ぎ得るとともに緩める力の一部をハウジングに伝達し得る。上述のように、つめ基部３２８の表面３２８ａはつめ凹部３２４の表面３２４ａと当接し得るので、つめ２３６が半径方向外側に回転し得る量を制限する。
【００５４】
いくつかの実施形態では、複数のつめ歯部３３８ａ−ｂが使用され得るので、複数のつめ歯部３３８ａ−ｂは複数の対応するハウジング歯２２４と同時に噛み合い、ノブ部材２１８が緩み方向に捻られたとき、加えられた力は、ノブ部材２１８が緩み方向に回転することを防ぐために、つめ２３６ごとに複数の歯に分散される。力を複数の歯に分散することによって、ハウジング歯２２４およびつめ歯部３３８ａ−ｂはサイズが比較的小さくなり得る一方、ハウジング歯２２４の第１の側部２５８とつめ歯部３３８ａ−ｂの第１の側部３４４ａ−ｂとの間に十分な噛み合い面面積を提供する。例えば、示されたような２つのつめ歯部３３８ａ−ｂの２つの連続したハウジング歯２２４との噛み合いは、緩み方向への回転に抵抗するための示されたサイズの２倍の単一のつめ歯部とハウジング歯と実質的に同じ噛み合い面面積を提供し得る。ハウジング歯２２４のサイズが減少すると、ハウジング歯２２４の数が増加し得るとともに、リール２０４の締め付け分解能が増大し得る。ノブ部材２１８が締め付け方向（矢印Ａで示される）に１つのハウジング歯２２４だけ進められるとき、ノブ部材２１８が移動する回転方向の距離は、ハウジング歯２２４のサイズが減少するとともにハウジング歯２２４の数が増加するにつれて、減少する。したがって、より多く、かつ小さいハウジング歯２２４を使用することによって、リール２０４の締め付け分解能が増大するので、紐締めシステム２００は所望のレベルのきつさにより正確に締め付けられ得る。また、ハウジング歯２２４のサイズが減少するにつれ、ノブ部材２１８が締められるときにつめ２３６が半径方向内側の方向に変位する距離もまた減少するので、ノブ部材２１８を締め付け方向に回転しやすくする。いくつかの実施形態では、複数のつめ歯部３３８ａ−ｂが使用されるため、ノブ部材２１８が、緩み方向の回転に強く抵抗する一方で締め付け方向に容易に回転され得ることに留意することが重要である。２つのつめ歯部３３８ａ−ｂがつめ２３６ごとに示されているが、追加的なつめ歯部（例えば、３、４、５、またはそれより多い）が使用されることができ、また、いくつかの実施形態では、単一のつめ歯部が使用され得る。例えば図２０に示されるように、いくつかの実施形態では、１つまたは複数のつめ歯部３３８ａ−ｂおよびハウジング歯２２４は、完全に噛み合ったときに互いに動かなくなるように構成され得るので、ノブ部材２１８が締め付け方向（矢印Ａで示される）に動かされない限り、つめ２３６が半径方向内側に回転することを防止する。ハウジング歯２２４の表面２５８およびつめ歯部３３８ａの表面３３４ａは、線Ｄから角度３４３（例えば、少なくとも約５°および／または約１５°以下、或いは約１０°）を形成し得る。この線Ｄは、対応するつめ２３６のピボット軸３３４に関する接線Ｃに垂直であり得る。線Ｄは、つめ歯部３３８ａの表面３４４ａが半径方向内側に旋回するときの表面３４４ａによって辿られた円弧に接し得る。ハウジング歯２２４の表面２５８がつめ梁部３３０に向かって角度を付けられるので、力が表面３４４ａを矢印Ｄの方向に動かすように付勢するとき、表面３４４ａは表面２５８に当接し得る。したがって、つめ歯部３３８ａが、つめ歯部３３８ａの表面３４４ａがハウジング歯２２４の表面２５８に当接するように、ハウジング歯２２４に完全に噛み合うとき、半径方向内側の回転はつめ歯部３３８ａの表面３４４ａがハウジング歯２２４の表面２５８をよりしっかりと押すことをもたらすため、つめ２３６は半径方向内側に回転することが妨げられる。表面２５８と３４４ａとの間の斜めの接触面はまた、緩める力が加えられたとき（矢印Ｂで示される）つめ２３６への半径方向外側方向への力をもたらし得る。つめ２３６が半径方向内側に回転することを可能にするため、つめ歯部３３８ａの表面３４４ａがハウジング歯２２４の表面２５８から噛み合いを外すように、つめ２３６は締め付け方向（矢印Ａで示される）に移動され得る。他のつめ歯部（例えば、つめ歯部３３８ｂ）は、つめ２３６の偶発的な噛み合いの解除を防ぐためにつめ歯部３３８ａと同様に動作し得る。
【００５５】
ノブ部材２１８が締め付け方向（矢印Ａで示される）に回転されるとき、ハウジング歯２２４の第２の側部２６０は、つめ歯部３３８ａ−ｂの第２の側部３４６ａ−ｂに沿って滑らせることができ、図２１に示されるように、つめ梁部３３０がハウジング歯２２４から半径方向内側に離れて変位されるように、つめ２３６がピボット軸（例えばピボットタブ３３６周り）周りに回転することをもたらす。つめ２３６が回転すると、つめバネ部２３２は、例えばより湾曲されない位置に、さらに曲げられ得るとともに、端部片３２は、つめ基部３２８からさらに離れているつめ凹部２２４の壁に沿って滑り得る。略円筒形状の端部片３４２の湾曲した端部は、端部片３４２とつめ凹部２２４の壁との間に、端部片３４２が滑るときのそれらの間の摩擦の量を減らすように、小さい接触面積をもたらし得る。いったんつめ歯部３３８ａ−ｂの先端がハウジング歯２２４の先端を通過すると、つめ２３６は、つめ２３６が１つのハウジング歯２２４、または１つのステップだけ、締め付け方向に進んでいることを除いて、図２０に示されたものと同様の位置に半径方向外側にパチンと動く（スナップする）ことができる。紐締めシステム２００を締め付けるために、ユーザは、ノブ部材２１８を締め付け方向に所望の量だけ、つめ２３６が緩み方向への回転を防ぐための各ステップの後にパチンと戻りながら（スナップバックしながら）、回すことができる。
【００５６】
図２０および２１に見ることができるように、つめ２３６のフランジ３３７は、ハウジング歯２２４の先端を越えて半径方向外側に延び得るが、フランジ３３７は、フランジ３３７がハウジング歯２２４に接触しないつめ２３６の上部の近くに位置され得る。それどころか、フランジ３３７は、図１９に見ることができるように、つめ凹部３２４の壁３２５の一部に接触し得る。つめ２３６が回転すると、フランジ３３７は、つめ２３６の所望の回転変位を容易にするために、つめ凹部３２４の壁に対してわずかに回転し得る。フランジ３３７と壁部３２５とのはめ合いはまた、つめ凹部３２４内のつめ２３６の半径方向および軸方向の大体の位置を保持する補助をし得る。
【００５７】
つめ２３６は、図示された実施形態にしめされたものと異なって構成され得る。例えば、いくつかの実施形態では、つめバネ部３３２の可撓性アームはつめ梁部３３０に向かって湾曲し得る（例えば、図示された実施形態に示されたものと反対の方向に）とともに、つめバネ部３３２の湾曲アームの中央部分は対応する凹部３２４の壁に沿って動き得る。いくつかの実施形態では、湾曲アームは、湾曲アームがより曲げられていない位置にあるとき（例えば、つめ梁３３０がハウジング歯２２４と噛み合うとき）より、より曲げられた位置にあるときに（例えば、つめ梁部３３０がハウジング歯２２４から離れて変位されるとき）より湾曲されるように構成され得る。いくつかの実施形態では、可撓性アームは、つめ２３６に、図示された実施形態に示された以外の場所に取り付けられ得る。例えば、つめバネ部３３２の可撓性アームは、ピボットタブ３３６から最も離れたつめ梁部３３０の端部から延ばされ得る。また、いくつかの実施形態では、つめバネ部３３２は、概してつめ梁部３３０と反対方向に、または概して半径方向内側に、或いはつめバネ部３３２がハウジング歯２２４に向かってつめ梁部３３０を付勢するように曲げられ得る限り様々な他の適切な方向に、延びる可撓性アームを含み得る。上述のように、つめバネ部３３２はまた、板バネ、コイルバネ、またはつめ梁部３３０をハウジング歯２２４に向かって半径方向に付勢するように構成された任意の他の適切な付勢部材から作られ得る。
【００５８】
本明細書に説明された様々な実施形態は、半径方向内側に延びるハウジング歯２２４およびハウジング歯２２４に向かって半径方向外側に付勢されるように構成されたつめ２３６を含むが、他の構成も可能である。例えば、ハウジング歯２２４は半径方向外側に延び得る。ハウジング歯２２４は、例えば、軸２４４または同様の構造の外側表面に形成され得る。これらの実施形態では、つめ２３６は、ハウジング歯２２４に向かって半径方向内側に付勢されるように構成され得る。いくつかの実施形態では、より多いハウジング歯２２４が含まれることができ、したがってリール２０４の締め付け分解能（回転毎の歯の数）を増すように、ハウジング歯２２４がより大きい円周に沿って配置されるように、ハウジング歯２２４を（例えば、図示された実施形態に示されるように）リール２０４の周囲の近くに配置することが有利になり得る。
【００５９】
図２２は、組み立てられた形態のノブコア２９６、バネブッシュ２９８、締め具３００、およびノブバネ３０２の上面図である。ここで、図１５、１６、および２２を参照すると、バネブッシュ２９８は、形状が略円筒形であり得るとともに、その中心を通って形成された中央開口部３４８を有し得る。バネブッシュ２９８の外面は、底部３５１におけるより上部３４９において広くなることができ、バネブッシュ２９８がノブコア２９６の中央開口部３１６に完全に挿入されたとき、ノブコア２９６の中央開口部３１６に形成された団３１８に当接するように構成され得る段３５０を形成する。バネブッシュ２９８の中心を通過する中央開口部３４８において、上部は段３５２を形成するために下部より広くなり得る。
【００６０】
締め具３００の頭３５４は、締め具３００がバネブッシュ２９８の中央開口部３４８に完全に挿入されたとき、バネブッシュ２９８の中央開口部の段３５２に当接し得る。締め具３００は、ハウジングの軸２４４に形成されたボア２４６内に形成されたねじ山に噛み合うように構成されたねじ山３５８を含む軸３５６を有するねじであり得る。いくつかの実施形態では、ボア２４６は、ねじ山が付けられた金属インサートまたはボア２４６の一部として成形されたプラスチックのねじ山を含み得る。いくつかの実施形態では、ボア２４６は予め形成されたねじ山を有さず、締め具３００のねじ山３５８は、締め具３００がボア２４６に挿入される最初のときにボアにねじ山を形成し得る。頭３５４はくぼみ３６０を含み得る。このくぼみ３６０は、六角形または十字形にされ得る、或いはドライバまたは他の工具が締め具３００を回すこと可能にするように構成され得る。いくつかの実施形態では、ノブ部材２１８は、例えば、噛み合い留め具またはリベットまたは超音波溶接等、何か他の方法でハウジング２２０に結合され得る。他の代替手段も可能である。
【００６１】
ノブバネ３０２は、バネブッシュ２９８に係合するように構成され得る１組の対向する係合部３６２ａ−ｂを含み得る。１組の端部片３６４ａ−ｂが係合部３６２ａ−ｂから略直角に内側方向に延び得る。円の部分的な円周に沿うように形成され得る相互接続部分３６８は、湾曲した接続部３７０ａ−ｂによって係合部３６２ａ−ｂに取り付けられ得る。
【００６２】
ノブバネ３０２は、ノブコア２９６に固定され得る。幅の広い係合タブ３２０はノブバネ３０２の湾曲した接続部３７０ａ−ｂの間に適合するように構成され得るとともに、幅の狭い係合タブ３２２は、ノブバネ３０２が回転するあるいはノブコア２９６に対して動くことを防止するために、ノブバネ３０２の端部片３６４ａ−ｂの間に適合するように構成され得る。いくつかの実施形態では、幅の広い係合タブ３２０および／または幅の狭い係合タブ３２２は、湾曲した接続部３７０ａ−ｂが幅の広い係合タブ３２０に当接するおよび／または端部片３６４ａ−ｂが幅の狭い係合タブ３２２に当接する状態で、ノブバネ３０２が僅かに曲げられた形態に保たれるように、ノブバネ３０２を受けるように構成され得る。いくつかの実施形態では、ノブバネ３０２は、ノブカバー３０４がノブコア２９６に取り付けられたとき、ノブカバー３０４によって軸方向に動くことが防止され得る。
【００６３】
ノブバネ３０２は、バネブッシュ２９８の上方の幅の広い部分が係合部３６２ａ−ｂの間を通過することを可能にするために係合部３６２ａ−ｂが弾性的に互いから離され得るように、構成され得る。バネブッシュ２９８は、図２２に示されるように、非係合位置にあることができ、ここではバネブッシュ２９８は係合部３６２ａ−ｂより下に位置する。係合位置では、バネブッシュ２９８の上方の幅の広い部分３４９は、ノブバネ３０２の係合部３６２ａ−ｂの上に配置され得る。バネブッシュの上方の幅の広い部分３４９は、バネブッシュが係合位置と非係合位置との間で意図せずに移行することを防止するために、ノブバネ３０２の係合部３６２ａ−ｂの距離より幅が広くなり得る。バネブッシュ２９８を係合位置から非係合位置に移行させるために、例えば、ノブ部材２１８をベース部材２１４から離れて軸方向に引くことによって、力が加えられ得る。この力は、バネブッシュ２９８を係合部３６２ａ−ｂに押し付けさせ、バネブッシュ２９８の上方の幅の広い部分３５９が係合部３６２ａ−ｂの間を通過するまで係合部３６２ａ−ｂを互いから弾性的に離させる。バネブッシュ２９８を非係合位置から係合位置に移行させるために、例えば、ノブ部材２１８をベース部材２１４に向かって軸方向に押すことによって、力が加えられ得る。この力は、バネブッシュ２９８を係合部３６２ａ−ｂに対して押し上げさせ、バネブッシュ２９８の上方の幅の広い部分３５９が係合部３６２ａ−ｂの間を通過するまで係合部３６２ａ−ｂを互いから弾性的に離させる。
【００６４】
多くの変形形態が可能である。例えば、いくつかの実施形態では、係合部３６２ａ−ｂは定位置に強固に保持され得るとともに、バネブッシュ２９８は、バネブッシュ２９８が係合位置と非係合位置との間を弾性的に圧縮するとともに係合部３６２ａ−ｂの間を通過させることによって移行し得るように、弾性的に圧縮可能材料から作られ得る。いくつかの実施形態では、締め具３００およびバネブッシュ２９８は単一の部品に組み合わされ得る。ノブバネ３０２は様々な他の形態を取り得るとともに、ノブコア２９６に、係合部３６２ａ−ｂが互いから離れて弾性的に曲がるように構成されるように、様々な他の方法で取り付けられ得る。バネブッシュ２９８は、図示された実施形態に示されたものとは違った様々な他の形に形成され得る。いくつかの実施形態では、バネブッシュ２９８は回転対称になり得るとともにノブコア２９６およびノブバネ３０２とともに回転し得る。したがって、ある場合には、バネブッシュ２９８は、単なる点での代わりに線に沿ってノブバネ３０２と係合する平らな側面を有し得る。
【００６５】
図１５および１６を参照すると、ノブカバー３０４は概して円板形状であり得る。ノブカバー３０４は、ドーム形または略円錐台形の上壁３７２およびその中に形成された空洞３７６を持つ周壁３７６を有し得る。中央開口部３７８が、ドライバまたは他の工具が締め具３００のくぼみ３６０に係合するためにそこを通って挿入されることを可能にするように、上壁３７２の中心に形成され得る。ノブカバー３０４は、ノブカバー３０４をノブコア２９６にスナップフィット接続を用いて固定するために、ノブコア１９６の対応する切欠き部３１２および突出部３１４と噛み合うように構成された固定タブ３８０および切欠き部３８２を含み得る。ノブカバー３０４は、接着剤、ねじ接続、超音波溶接、または任意の他の適切な方法を用いる等、様々な他の方法で、ノブコア２９６に固定され得る。ノブカバー３０４は、ノブコア２９６に固定してまたは取り外し可能に取り付けられ得る。ノブカバー３０４がノブコア２９６に取り付けられるとき、つめ２３６、バネブッシュ２９８、締め具３００、およびノブバネ３０２はそれらの間に囲まれ得る。
【００６６】
上部タブ３８４がノブカバー３０４の上壁３７２の下面から下方に延び得る。上部タブ３８４はつめ２３６のピボットタブ３３６と位置合わせされ得るとともに、上部タブ３８４の底面は、それによってつめが軸方向に動くことを防ぐために、つめ２３６のピボットタブ３３６の上面と接触、あるいはほぼ接触し得る。様々な変形形態が可能である。いくつかの実施形態では、つめ２３６のピボットタブ３３６は、つめ２３６を固定するとともにつめ２３６がピボットタブ３３６周りに旋回することを可能にするために、ノブカバー３０４に形成されたボア内に適合し得る。
【００６７】
凹部３８６が空洞３７６の中心に形成され得るとともに、凹部３８６は、バネブッシュ２９８が係合位置にあるとき、バネブッシュ２９８の上方の幅の広い部分３４９を受け入れるように構成され得る。
【００６８】
ノブカバー３０４の周壁３７４は、ノブグリップ３０６の内面に形成された対応するタブ３９０を受け入れるように構成された切欠き部３８８を含み得る。ノブグリップ３０６は、概してドーナツ型になり得るとともにノブ部材２１８の保持を容易にするために外面の隆起部３９２および／または凹部３９４を含み得る。いくつかの実施形態では、ノブグリップ３０６は、省力され得るまたは、ノブカバー３０４の周囲に配置された断続的な部分に分割され得る。様々な変形形態が可能である。
【００６９】
開口部３９６が、使用中のリール２０４のいくつかの内部構成部品を見ることを提供するために、あるいは水または他の異物がリール２０４から出るための出口経路を提供するために、ノブカバー３０４の上壁３７２の一部に形成され得る。
【００７０】
上述のように、ノブ部材２１８は、連動位置と非連動位置との間で軸方向に移動可能であり得る。図２３Ａは、連動形態のノブ部材２１８を持つリール２０４の分解図である。図２３Ｂは、連動形態のノブ部材２１８を持つリール２０４の断面図である。図２４Ａは、非連動形態のノブ部材２１８を持つリール２０４の分解図である。図２４Ｂは、非連動形態のノブ部材２１８を持つリール２０４の断面図である。ノブ部材２１８は、ねじ山３５８が軸２４４に形成されたボア２４６内の対応するねじ山に噛み合うように、締め具３００を捻ることによってベース部材２１４に固定され得る。いくつかの実施形態では、締め具３００が十分に締め付けられると、スプール部材２１６を越えて上に延びる軸２４４の一部が、バネブッシュ２９８を通って形成された中央開口部３４８の下方部分の中に入り得る。バネブッシュ２９８の底端部３９８は、スプール歯２３２の内側の環状領域４００に当接し得る、またはほとんど接し得る。
【００７１】
図２３Ａおよび２３Ｂに示されるように、ノブ部材２１８が連動位置にあるとき、バネブッシュ２９８および締め具３００は、上述のように、ノブバネ３０２によって持上げられた位置に保持され得るので、バネブッシュ２９８の底端部３９８はノブコア２９６の中央開口部３１６を越えて延びない。したがって、ノブ部材２１８は、ノブコア２９６の底部がスプール部材２１６の上面に当接する状態、または上面に近接する状態で、下方連動位置（図５に点線で示される）に保持される。したがって、連動位置にあるとき、ノブ歯２３４はスプール歯２３２と噛み合うとともに、つめ２３６はハウジング歯２２４と噛み合う。
【００７２】
図２４Ａおよび２４Ｂに示されるように、ノブ部材２１８が非連動位置にあるとき、バネブッシュ２９８および締め具３００は、上述のように、ノブバネ３０２によって下げられた位置に保持され得るので、バネブッシュ２９８の底端部３９８は、少なくとも約１．０ｍｍだけおよび／または約３ｍｍ以下だけ、またいくつかの実施形態では約２．２５ｍｍだけ、ノブコア２９６の中央開口部３１６を越えて延びるが、これらの範囲の外のほかの形態も可能である。バネブッシュ２９８の底端部３９８が、スプール部材２１６の環状領域４００に当接、あるいはほとんど接し続けるので、ノブ部材２１８は、ノブ歯２３４をスプール歯２３２から外させるおよび／またはつめ２３６をハウジング歯２２４から外させるのに十分な量（例えば、約２．２５ｍｍ）だけスプール部材２１６およびベース部材２１４から離れて持上げられる。図示された実施形態では、ノブが非連動位置にあるとき、ノブ歯２３４はスプール歯２３２から外れるとともにつめ２３６もまたハウジング歯２２４から外れる。したがって、図示された非連動の形態では、スプール部材２１６は、紐締めシステム２００を緩めるためにノブ部材２１８と無関係に緩み方向に自由に回転し得るとともに、ノブ部材２１８は締め付け方向および緩み方向の両方に自由に回転し得る。
【００７３】
多くの変形形態が可能である。いくつかの実施形態では、非連動位置にあるとき、ノブ歯２３４はスプール歯２３２から外れ得る一方、つめ２３６はハウジング歯２２４に噛み合い続ける（例えば、図１７に示された段３４０が、つめ歯部３３８ａ−ｂがさらに下方に延びるように大きくされる場合）。これらの実施形態では、ノブ部材２１８は、非連動位置にあるときでさえ、緩み方向への回転が妨げられ得るが、スプール部材２１６は、紐２０６が紐締めシステム２００を緩めるために引き出されることを可能にするように、ノブ部材２１８と無関係に緩み方向に自由に回転し得る。いくつかの実施形態では、非連動位置にあるとき、ノブ歯２３４はスプール歯２３２にかみ合い続けることができる（例えば、ノブ歯２３４および／またはスプール歯２３２が図示された実施形態よりも高くされる場合）一方、つめ２３６はハウジング歯２２４から外れ得る。これらの実施形態では、スプール部材２１６は、非連動位置にあるときでさえ、ノブ部材２１８に結合し続けるが、ノブ部材２１８およびスプール部材２１６は、紐締めシステム２００を緩めるために紐２０６をリール２０４から解放するように、緩み方向に一緒に回転することが許される。他の変形形態も可能である。例えば、いくつかの実施形態では、スプール部材２１６は、ノブ部材２１８と一体に形成され得る、またはノブ部材２１８に固定して取り付けられ得る、またはノブ部材２１８に取り外し可能に取り付けられ得るとともに、スプール歯２３２およびノブ歯２３４は省略され得る。
【００７４】
上述のように、非連動位置にあるとき、つめ２３６はハウジング歯２２４から噛み合いが外れるほど十分に持上げられ得る。いくつかの実施形態では、つめは、つめバネ部２３２によって半径方向外側に付勢されるため、つめ２３６は、つめ２３６の底面の一部がハウジング歯２２４の上面の一部の上に位置するように、半径方向外側に曲がり得る。したがって、いくつかの実施形態では、ノブ部材２１８が連動位置に戻って移行されるとき、つめ２３６は、つめ２３６がハウジング歯２２４に再び噛み合い得るように、半径方向内側に曲げられなければならない。また上述のように、少なくともハウジング歯２２４の上面２６６の一部は角度を付けられるまたは傾斜され得る、および／または少なくともつめ２３６の底面３３９の一部は角度を付けられるまたは傾斜され得るので、ノブ部材が連動位置に戻されたときに加えられる下向きの圧力は、つめ２３６のハウジング歯２２４との再度の噛み合いを容易にするように、つめ２３６を半径方向内側に曲げさせ得る。いくつかの実施形態では、つめ凹部３２４またはノブ部材２１８の他の部分は、つめ２３６がハウジング歯２２４と噛み合う半径方向の位置を越えてつめ２３６が半径方向外側に曲がることを防ぐように構成されることができ、したがって、ノブ部材２１８を連動位置に移行させるとき、つめ２３６を内側に曲げる必要を減らすまたは除く。
【００７５】
ノブ部材２１８は、バネブッシュ２９８にノブバネ３０２を変位させるとともにそこを通過させる十分な力でノブ部材２１８を軸方向にベース部材２１４から離れて引くことによって、連動位置から非連動位置に移行され得る。ノブ部材２１８を非連動位置から連動位置に移行させるために、ノブ部材２１８は、バネブッシュ２９８にノブバネ３０２を変位させるとともにそこを通過させる十分な力で軸方向にベース部材２１４に向かって押され得る。
【００７６】
つめ２３６のハウジング歯２２４との半径方向の噛み合いは、ノブ部材２１８を緩み方向に捻る傾向がある力を加えることによるノブ部材２１８が連動位置から非連動位置への意図しない移行の発生を減少または排除し得る。紐２０６が引かれた場合、紐はスプール部材２１６を緩み方向に捻る傾向にある力を伝えることができ、力はノブ２１８にスプール歯２３２およびノブ歯２３４を介して伝達されることができ、つめ２３６はある一定数のハウジング歯２２４の間に力を半径方向に分配することができる。つめ２３６はハウジング歯に軸方向でなく、半径方向に噛み合うとともに、つめ２３６は（リール２０４を締めるとき）半径方向に変位されるように構成されるため、実質的に力はノブ２１８に軸方向には全く加えられない。したがって、半径方向のつめ２３６は、ノブ部材の意図しない離脱および／またはスプール部材２１６の意図しない緩みをもたらし得るスプール歯２３２をノブ場２３４から分離させる傾向のある如何なる実質的な力も軸方向に伝えない。したがって、リール２０４は、つめが軸方向にハウジング歯と噛み合うリール２０４よりもノブ部材２１８を意図せずに外れさせることなしに、紐２０６を引き寄せるように加えられるまたはノブ部材２１８を緩める方向に捻ろうとするように加えられる非常に大きい力に耐えるように構成され得るとともに、つめは締め付け中に軸方向に変位するように構成される。
【００７７】
また、いくつかの実施形態では、ノブ２１８が緩み方向に捻られるときにつめ２３６に加えられる力は、実質的に力が全くつめバネ部３３２に伝達されないように、つめ梁部３３０によって支えられる。したがって、つめバネ部３３２は、曲げ易くなるように構成され得る一方、つめ梁部３３０は実質的に剛体になるように構成され得る。したがって、つめ２３６は、力が剛体のつめ梁部３３０によって支えられるため、ノブ部材２１８を緩み方向に捻るように加えられた比較的大きい力に対抗するように構成され得る一方、つめはまた、力が可撓性つめバネ部３３２に伝達されるため、比較的小さい力がノブ部材２１８を締め付け方向に捻るように加えられたとき、関係方向に回転するようにも構成され得る。
【００７８】
本明細書に記載された紐締めシステムの構成要素は、例えば、限定されるものではないが、プラスチック、カーボンまたは他の繊維強化プラスチック、アルミニウム、鋼、ゴム、並びに任意の他の適切な材料またはこれらの材料の組合せ等、任意の適切な材料から形成され得る。いくつかの実施形態では、ベース部材２１４、スプール部材２１６、ノブコア２９６、つめ２３６、バネブッシュ２９８、ノブカバー３０４、紐ガイド、または本明細書に記載された他の適切な構成要素は、ナイロン、ＰＶＣまたはＰＥＴ等、任意の適切な高分子材料から射出成形または別の方法で形成され得る。加えて、本明細書に記載された構成部品のいくつかは、相互作用する構成要素または部品との摩擦を減らすために、潤滑材料で被覆または層状にされ得る。締め具３００およびノブバネ３０２は、金属（例えば、アルミニウムまたは鋼）から作られ得るが、プラスチック等他の材料も使用され得る。ノブグリップ３０６は、ゴム、ラテックス、シリコーン、またはノブ部材２１８の把持を容易にする他の材料から形成され得る。
【００７９】
図２５は、上述のベース部材２１４の代わりに使用され得るベース部材４１４の代替実施形態の斜視図である。ベース部材４１４は、ハウジング４２０および取付フランジ４２２を含み得るとともに、紐孔４２６ａ−ｂが、例えば図２に示されたように軸方向にベース部材２１４から離れるというよりむしろ紐を半径方向にベース部材４１４から離れて向かわせるように構成され得ることを除いて、上述のベース部材２１４と概して同様になり得る。また、紐孔４２６ａ−ｂは、上述のベース部材２１４にあるように両端にというよりむしろ、概してベース部材４１４の同じ側に配置される。紐締めシステムが適用される特定の用途に応じて、多くの変形形態が可能である。例えば、いくつかの実施形態では、ベース部材は１つの紐孔のみを含むことができ、紐の一方の端部のみがハウジングに入り得るとともにスプール部材に取り付けられ得る。これらの実施形態では、紐の他方の端部はベース部材または締め付けられる物品に取り付けられ得る。
【００８０】
図２６は、本明細書に記載されたリール２０４と多くの点で同様になり得るリールに使用され得るノブコア５９６の他の実施形態の断面図である。ノブコア５９６は、構造およびリールの組立を単純化するためにノブコア５９６と一体に形成され得るつめ５３６を含み得る。他の実施形態では、つめ５３６はノブコア５９６に任意の適切な方法で取り付けられ得る。つめ５３６は、上述のものと同様な方法でノブコア５９６が締め付け方向（矢印Ａで示される）に回転すると、つめ５３６がハウジング歯によって半径方向内側に変位されることを可能にするように可撓性になるような材料、厚さ、および長さで作られ得るつめアーム部５３２を含み得る。つめ５３６は、つめアーム部５３２の端部に形成されたつめ歯部５３８ａ−ｂを含み得る。図示された実施形態では、２つのつめ歯部５３８ａ−ｂがつめ５３６ごとに使用されるが、任意の他の適切な数のつめ歯部５３８ａ−ｂが使用され得る。
【００８１】
ノブコア５９６が緩み方向（矢印Ｂで示される）に捻られたとき、つめ歯部５３８ａ−ｂは、ノブコア５９６が緩み方向に回転することを防ぐためにハウジング歯（図２６に示されない）に当接し得る。図２６に描かれた力の矢印は、力が半径方向に分散される方向を示す。つめ歯部５３８ａ−ｂがハウジング歯に当接すると、図示されたように力はつめ歯部５３８ａ−ｂからハウジング歯に加えられる。つめアーム部５３２は図示されたように湾曲され得るので、つめ歯部５３８ａ−ｂがハウジング歯に当接するとき、つめアーム部５３２は図２６に矢印で示すように、半径方向外側に曲がるまたは座屈する傾向がある。つめアーム部５３２が半径方向外側に曲がるまたは座屈しようとすると、それらがハウジング歯の先端に当接するとともに、力を変形方向にハウジング歯に分散し、また座屈が妨げられるように、ハウジング歯がつめアーム部５３２に当接するようにつめ５３６は構成され得る。いくつかの実施形態では、ハウジング歯は実質的につめアーム部５３２が半径方向外側に動くことを妨げ得る。つめ５３６はハウジング歯に軸方向ではなく半径方向に噛み合うとともに、つめ５３６は軸方向ではなく半径方向に変位されるように構成されるため、締め付け中、実質的に緩み方向に捻るときに加えられた何の力も軸方向には加えられず、したがって、ノブコア５９６の連動位置から非連動位置への意図しない軸方向の移動の発生を減らすまたは除去する。
【００８２】
紐締めシステムの様々な実施形態が本明細書に記載されているが、本明細書に記載された紐締めシステムの実施形態の様々な構成要素、特徴、または他の態様は、これらの全てが本開示の一部であると考えられる本明細書に明記されていない紐締めシステムの追加的な実施形態を形成するために組み合わされ得るまたは交換され得る。加えて、多くの変形形態が図示されるとともに詳細に説明されているが、本開示の範囲内にある、他の変更形態は、この開示を基づいて当業者には容易に明らかになるであろう。したがって、開示の範囲が上述の特定の開示された実施形態によって限定されるべきでないことが意図される。
【図１】
0005925765.tif 000002
【図２】
0005925765.tif 000003
【図３】
0005925765.tif 000004
【図４】
0005925765.tif 000005
【図５】
0005925765.tif 000006
【図６】
0005925765.tif 000007
【図７】
0005925765.tif 000008
【図８】
0005925765.tif 000009
【図９】
0005925765.tif 000010
【図１０Ａ】
0005925765.tif 000011
【図１０Ｂ】
0005925765.tif 000012
【図１１】
0005925765.tif 000013
【図１２】
0005925765.tif 000014
【図１３Ａ】
0005925765.tif 000015
【図１３Ｂ】
0005925765.tif 000016
【図１３Ｃ】
0005925765.tif 000017
【図１３Ｄ】
0005925765.tif 000018
【図１４】
0005925765.tif 000019
【図１５】
0005925765.tif 000020
【図１６】
0005925765.tif 000021
【図１７】
0005925765.tif 000022
【図１８】
0005925765.tif 000023
【図１９】
0005925765.tif 000024
【図２０】
0005925765.tif 000025
【図２１】
0005925765.tif 000026
【図２２】
0005925765.tif 000027
【図２３Ａ】
0005925765.tif 000028
【図２３Ｂ】
0005925765.tif 000029
【図２４Ａ】
0005925765.tif 000030
【図２４Ｂ】
0005925765.tif 000031
【図２５】
0005925765.tif 000032
【図２６】
0005925765.tif 000033